(57)【要約】  本開示は、ディスプレイ中のピクセルおよび相互接続の配置のためのシステム、方法および装置を提供する。一態様では、ピクセルの極性が、ちらつきの可視性を低減するために、ドット反転構成またはチェッカーボードパターン中にあり得る。様々な相互接続が、ドット反転を与えるために、異なる列または行中のモジュール間を交互に結合する。
2016535296.tif 000002
【特許請求の範囲】
【請求項１】
ディスプレイユニットのアレイを含む回路であって、前記回路は、
第１の端子と第２の端子と第３の端子とを有する第１の３端子ディスプレイユニットと、前記第１の端子が第１の相互接続に結合され、前記第２の端子が第２の相互接続に結合され、前記第３の端子が第７の相互接続に結合された、
第１の端子と第２の端子と第３の端子とを有する第２の３端子ディスプレイユニットと、前記第１の端子が第３の相互接続に結合され、前記第２の端子が第４の相互接続に結合され、前記第３の端子が前記第７の相互接続に結合された、
第１の端子と第２の端子と第３の端子とを有する第３の３端子ディスプレイユニットと、前記第１の端子が第５の相互接続に結合され、前記第２の端子が前記第４の相互接続に結合され、前記第３の端子が前記第７の相互接続に結合された、
第１の端子と第２の端子と第３の端子とを有する第４の３端子ディスプレイユニットと、前記第１の端子が前記第１の相互接続に結合され、前記第２の端子が第６の相互接続に結合され、前記第３の端子が前記第７の相互接続に結合された、
を備える回路。
【請求項２】
前記第７の相互接続が、固定電圧を与えるように構成された、請求項１に記載の回路。
【請求項３】
前記第１の相互接続、前記第３の相互接続、および前記第５の相互接続が第１の配向にあり、前記第２の相互接続、前記第４の相互接続、および前記第６の相互接続が第２の配向にある、請求項１または請求項２に記載の回路。
【請求項４】
前記第１および第４のディスプレイユニットが第１の極性にあり、前記第２および第３のディスプレイユニットが、前記第１の極性に対向する第２の極性にある、請求項１から３のいずれかに記載の回路。
【請求項５】
前記第１および第４のディスプレイユニットが、前記第２の極性に切り替わるように構成され、前記第２および第３のディスプレイユニットが、前記第１の極性に切り替わるように構成された、請求項４に記載の回路。
【請求項６】
前記第１のディスプレイユニットに関連する第１のスイッチの制御端子に結合され、前記第２のディスプレイユニットに関連する第２のスイッチの制御端子にさらに結合された第８の相互接続と、
前記第３のディスプレイユニットに関連する第３のスイッチの制御端子に結合され、前記第４のディスプレイユニットに関連する第４のスイッチの制御端子にさらに結合された第９の相互接続と
をさらに備える、請求項１から５のいずれかに記載の回路。
【請求項７】
前記第２のディスプレイユニットに関連する第１のスイッチの制御端子に結合された第８の相互接続と、
前記第１のディスプレイユニットに関連する第２のスイッチの制御端子に結合された第９の相互接続と、前記第８の相互接続が、前記第４のディスプレイユニットに関連する第３のスイッチの制御端子にも結合された、
前記第３のディスプレイユニットに関連する第４のスイッチの制御端子に結合された第１０の相互接続と
をさらに備える、請求項１から５のいずれかに記載の回路。
【請求項８】
前記第１のディスプレイユニットがディスプレイユニットの前記アレイの第１の行中に配置され、前記第４のディスプレイユニットが第２の行中に配置された、請求項７に記載の回路。
【請求項９】
前記３端子ディスプレイユニットが干渉変調器（ＩＭＯＤ）である、請求項１から８のいずれかに記載の回路。
【請求項１０】
前記第１のディスプレイユニットおよび前記第２のディスプレイユニットがディスプレイユニットの前記アレイの第１の行中に配置され、前記第３のディスプレイユニットおよび前記第４のディスプレイユニットが第２の行中に配置された、請求項１から９のいずれかに記載の回路。
【請求項１１】
前記第１のディスプレイユニットおよび前記第３のディスプレイユニットが第１の列中に配置され、前記第２のディスプレイユニットおよび前記第４のディスプレイユニットが第２の列中に配置された、請求項１０に記載の回路。
【請求項１２】
ディスプレイユニットの前記アレイを含むディスプレイと、
前記ディスプレイと通信するように構成されたプロセッサと、前記プロセッサが、画像データを処理するように構成された、
前記プロセッサと通信するように構成されたメモリデバイスと、
をさらに備える、請求項１から１１のいずれかに記載の回路。
【請求項１３】
前記ディスプレイに少なくとも１つの信号を送るように構成されたドライバ回路と、
前記ドライバ回路に前記画像データの少なくとも一部分を送るように構成されたコントローラと、
をさらに備える、請求項１から１２のいずれかに記載の回路。
【請求項１４】
前記プロセッサに前記画像データを送るように構成された画像ソースモジュールをさらに備え、ここにおいて、前記画像ソースモジュールが、受信機、トランシーバ、および送信機のうちの少なくとも１つを備える、
請求項１から１３のいずれかに記載の回路。
【請求項１５】
入力データを受信することと、前記プロセッサに前記入力データを通信することとを行うように構成された入力デバイスをさらに備える、請求項１から１４のいずれかに記載の回路。
【請求項１６】
ディスプレイユニットのアレイを含む回路であって、前記回路は、
第１の端子と第２の端子と第３の端子とを有する第１の３端子ディスプレイユニットと、前記第１の端子が第１の相互接続に結合され、前記第２の端子が第２の相互接続に結合され、前記第３の端子が第７の相互接続に結合された、
第１の端子と第２の端子と第３の端子とを有する第２の３端子ディスプレイユニットと、前記第１の端子が第３の相互接続に結合され、前記第２の端子が第４の相互接続に結合され、前記第３の端子が第８の相互接続に結合された、
第１の端子と第２の端子と第３の端子とを有する第３の３端子ディスプレイユニットと、前記第１の端子が第５の相互接続に結合され、前記第２の端子が前記第４の相互接続に結合され、前記第３の端子が前記第８の相互接続に結合された、
第１の端子と第２の端子と第３の端子とを有する第４の３端子ディスプレイユニットと、前記第１の端子が前記第１の相互接続に結合され、前記第２の端子が第６の相互接続に結合され、前記第３の端子が前記第７の相互接続に結合された、
を備える回路。
【請求項１７】
前記第１および第４のディスプレイユニットが第１の極性にあり、前記第２および第３のディスプレイユニットが、前記第１の極性に対向する第２の極性にある、請求項１６に記載の回路。
【請求項１８】
前記第１のディスプレイユニットに関連する第１のスイッチの制御端子に結合され、前記第２のディスプレイユニットに関連する第２のスイッチの制御端子にさらに結合された第９の相互接続と、
前記第３のディスプレイユニットに関連する第３のスイッチの制御端子に結合され、前記第４のディスプレイユニットに関連する第４のスイッチの制御端子にさらに結合された第１０の相互接続と
をさらに備える、請求項１７に記載の回路。
【請求項１９】
ディスプレイユニットのアレイ中のディスプレイユニットの極性を反転させるための方法であって、前記方法は、
ディスプレイユニットの前記アレイ中のディスプレイユニットの第１のグループに第１の極性を有する第１の電圧を与えることと、
ディスプレイユニットの前記アレイ中のディスプレイユニットの第２のグループに第２の極性を有する第２の電圧を与えることと、を備え、ここにおいて、ディスプレイユニットの前記アレイは、
第１の端子と第２の端子と第３の端子とを有する第１の３端子ディスプレイユニットと、前記第１の端子が第１の相互接続に結合され、前記第２の端子が第２の相互接続に結合され、前記第３の端子が第７の相互接続に結合された、
第１の端子と第２の端子と第３の端子とを有する第２の３端子ディスプレイユニットと、前記第１の端子が第３の相互接続に結合され、前記第２の端子が第４の相互接続に結合され、前記第３の端子が前記第７の相互接続に結合された、
第１の端子と第２の端子と第３の端子とを有する第３の３端子ディスプレイユニットと、前記第１の端子が第５の相互接続に結合され、前記第２の端子が前記第４の相互接続に結合され、前記第３の端子が前記第７の相互接続に結合された、
第１の端子と第２の端子と第３の端子とを有する第４の３端子ディスプレイユニットと、前記第１の端子が前記第１の相互接続に結合され、前記第２の端子が第６の相互接続に結合され、前記第３の端子が前記第７の相互接続に結合された、
を含む、方法。
【請求項２０】
前記第１のディスプレイユニットおよび前記第４のディスプレイユニットがディスプレイユニットの前記第１のグループに関連し、前記第２のディスプレイユニットおよび前記第３のディスプレイユニットがディスプレイユニットの前記第２のグループに関連する、請求項１９に記載の方法。
【発明の詳細な説明】
【技術分野】
【０００１】
優先権データ
[0001]本特許文献は、参照により本明細書に組み込まれる、２０１３年１０月２１日に出願された「DOT INVERSION CONFIGURATION」（代理人整理番号第ＱＵＡＬＰ２０９／１３３８２９号）と題する米国特許出願第１４／０５９，３２０号の優先権を主張する。
【０００２】
[0002]本開示は、電気機械システムおよびデバイスに関する。より詳細には、本開示は、干渉変調器（ＩＭＯＤ：interferometric modulator）を使用するディスプレイなど、ディスプレイにおけるピクセルおよび相互接続の配置に関する。
【背景技術】
【０００３】
関連技術の説明
[0003]電気機械システム（ＥＭＳ：electromechanical system）は、電気的および機械的要素と、アクチュエータと、トランスデューサと、センサーと、ミラーおよび光学フィルムなどの光学的構成要素と、電子回路とを有するデバイスを含む。ＥＭＳデバイスまたは要素は、限定はしないが、マイクロスケールおよびナノスケールを含む、様々なスケールで製造され得る。たとえば、マイクロ電気機械システム（ＭＥＭＳ：microelectromechanical system）デバイスは、約１ミクロンから数百ミクロン以上に及ぶサイズを有する構造を含むことができる。ナノ電気機械システム（ＮＥＭＳ：nanoelectromechanical system）デバイスは、たとえば、数百ナノメートルよりも小さいサイズを含む、１ミクロンよりも小さいサイズを有する構造を含むことができる。電気および電気機械デバイスを形成するために、堆積、エッチング、リソグラフィを使用して、ならびに／あるいは、基板および／または堆積された材料層の部分をエッチング除去するかまたは層を追加する、他の微細加工プロセスを使用して、電気機械要素が作成され得る。
【０００４】
[0004]１つのタイプのＥＭＳデバイスは干渉変調器（ＩＭＯＤ）と呼ばれる。ＩＭＯＤまたは干渉光変調器という用語は、光学干渉の原理を使用して光を選択的に吸収および／または反射するデバイスを指す。いくつかの実装形態では、ＩＭＯＤディスプレイ要素が導電性プレートのペアを含み得、導電性プレートの一方または両方は、全体的にまたは部分的に、透明および／または反射性であり、適切な電気信号の印加時に相対運動が可能であり得る。たとえば、一方のプレートが、基板の上に堆積されたか、基板上に堆積されたか、または基板によって支持された固定層を含み得、他方のプレートが、エアギャップによって固定層から分離された反射膜を含み得る。別のプレートに対するあるプレートの位置は、ＩＭＯＤディスプレイ要素に入射する光の光学干渉を変化させることができる。ＩＭＯＤベースのディスプレイデバイスは、広範囲の適用例を有しており、既存の製品を改善し、新しい製品、特にディスプレイ能力をもつ製品を作成する際に使用されることが予期される。
【０００５】
[0005]電界が印加されたとき、デバイス全体にわたって電荷が蓄積し得る。たとえば、電荷は、ＩＭＯＤまたは液晶ディスプレイ（ＬＣＤ）など、ディスプレイ要素の様々な部分上に蓄積し得る。いくつかの実装形態では、電荷の蓄積はディスプレイ要素の性能に影響を及ぼし得る。
【０００６】
[0006]周期的に電界を反転させ、電荷の平衡を維持し、したがって、電荷の蓄積を低減するために、極性反転が使用され得る。
【発明の概要】
【０００７】
[0007]本開示のシステム、方法およびデバイスは、それぞれいくつかの発明的態様を有し、それらのうちの単一の態様が、本明細書で開示する望ましい属性を単独で担当するとは限らない。
【０００８】
[0008]本開示で説明する主題の１つの発明的態様は、第１の端子と第２の端子と第３の端子とを有する第１の３端子ディスプレイユニットと、第１の端子が第１の相互接続に結合され、第２の端子が第２の相互接続に結合され、第３の端子が第７の相互接続に結合された、第１の端子と第２の端子と第３の端子とを有する第２の３端子ディスプレイユニットと、第１の端子が第３の相互接続に結合され、第２の端子が第４の相互接続に結合され、第３の端子が第７の相互接続に結合された、第１の端子と第２の端子と第３の端子とを有する第３の３端子ディスプレイユニットと、第１の端子が第５の相互接続に結合され、第２の端子が第４の相互接続に結合され、第３の端子が第７の相互接続に結合された、第１の端子と第２の端子と第３の端子とを有する第４の３端子ディスプレイユニットと、第１の端子が第１の相互接続に結合され、第２の端子が第６の相互接続に結合され、第３の端子が第７の相互接続に結合された、を備えるディスプレイユニットのアレイを含む回路において実装され得る。
【０００９】
[0009]いくつかの実装形態では、第７の相互接続は、固定電圧を与えるように構成される。
【００１０】
[0010]いくつかの実装形態では、第１の相互接続、第３の相互接続、および第５の相互接続は第１の配向にあり、第２の相互接続、第４の相互接続、および第６の相互接続は第２の配向にある。
【００１１】
[0011]いくつかの実装形態では、第１のディスプレイユニットおよび第４のディスプレイユニットは第１の極性にあり、第２のディスプレイユニットおよび第３のディスプレイユニットは、第１の極性に対向する第２の極性にある。
【００１２】
[0012]いくつかの実装形態では、第１のディスプレイユニットおよび第４のディスプレイユニットは、第２の極性に切り替わるように構成され、第２のディスプレイユニットおよび第３のディスプレイユニットは、第１の極性に切り替わるように構成される。
【００１３】
[0013]いくつかの実装形態では、本回路は、第１のディスプレイユニットに関連する第１のスイッチの制御端子に結合され、第２のディスプレイユニットに関連する第２のスイッチの制御端子にさらに結合された第８の相互接続と、第３のディスプレイユニットに関連する第３のスイッチの制御端子に結合され、第４のディスプレイユニットに関連する第４のスイッチの制御端子にさらに結合された第９の相互接続とを含むことができる。
【００１４】
[0014]いくつかの実装形態では、本回路は、第２のディスプレイユニットに関連する第１のスイッチの制御端子に結合された第８の相互接続と、第１のディスプレイユニットに関連する第２のスイッチの制御端子に結合された第９の相互接続と、第８の相互接続が、第４のディスプレイユニットに関連する第３のスイッチの制御端子にも結合された、第３のディスプレイユニットに関連する第４のスイッチの制御端子に結合された第１０の相互接続とを含むことができる。
【００１５】
[0015]いくつかの実装形態では、第１のディスプレイユニットはディスプレイユニットのアレイの第１の行中に配置され、第４のディスプレイユニットは第２の行中に配置される。
【００１６】
[0016]いくつかの実装形態では、３端子ディスプレイユニットは干渉変調器（ＩＭＯＤ）である。
【００１７】
[0017]いくつかの実装形態では、第１のディスプレイユニットおよび第２のディスプレイユニットはディスプレイユニットのアレイの第１の行中に配置され、第３のディスプレイユニットおよび第４のディスプレイユニットは第２の行中に配置される。
【００１８】
[0018]いくつかの実装形態では、第１のディスプレイユニットおよび第３のディスプレイユニットは第１の列中に配置され、第２のディスプレイユニットおよび第４のディスプレイユニットは第２の列中に配置される。
【００１９】
[0019]本開示で説明する主題の別の発明的態様は、第１の端子と第２の端子と第３の端子とを有する第１の３端子ディスプレイユニットと、第１の端子が第１の相互接続に結合され、第２の端子が第２の相互接続に結合され、第３の端子が第７の相互接続に結合された、第１の端子と第２の端子と第３の端子とを有する第２の３端子ディスプレイユニットと、第１の端子が第３の相互接続に結合され、第２の端子が第４の相互接続に結合され、第３の端子が第８の相互接続に結合された、第１の端子と第２の端子と第３の端子とを有する第３の３端子ディスプレイユニットと、第１の端子が第５の相互接続に結合され、第２の端子が第４の相互接続に結合され、第３の端子が第８の相互接続に結合された、第１の端子と第２の端子と第３の端子とを有する第４の３端子ディスプレイユニットと、第１の端子が第１の相互接続に結合され、第２の端子が第６の相互接続に結合され、第３の端子が第７の相互接続に結合された、を備えるディスプレイユニットのアレイを含む回路において実装され得る。
【００２０】
[0020]いくつかの実装形態では、第１のディスプレイユニットおよび第４のディスプレイユニットは第１の極性にあり、第２のディスプレイユニットおよび第３のディスプレイユニットは、第１の極性に対向する第２の極性にある。
【００２１】
[0021]いくつかの実装形態では、本回路は、第１のディスプレイユニットに関連する第１のスイッチの制御端子に結合され、第２のディスプレイユニットに関連する第２のスイッチの制御端子にさらに結合された第９の相互接続と、第３のディスプレイユニットに関連する第３のスイッチの制御端子に結合され、第４のディスプレイユニットに関連する第４のスイッチの制御端子にさらに結合された第１０の相互接続とを含むことができる。
【００２２】
[0022]本開示で説明する主題の別の発明的態様は、ディスプレイユニットのアレイ中のディスプレイユニットの極性を反転させるための方法において実装され得る。いくつかの実装形態では、ディスプレイユニットのアレイ中のディスプレイユニットの第１のグループが、第１の極性を有する電圧を与えられ得る。ディスプレイユニットのアレイ中のディスプレイユニットの第２のグループが、第２の極性を有する電圧を与えられ得る。ディスプレイユニットのアレイは、第１の端子と第２の端子と第３の端子とを有する第１の３端子ディスプレイユニットと、第１の端子が第１の相互接続に結合され、第２の端子が第２の相互接続に結合され、第３の端子が第７の相互接続に結合された、第１の端子と第２の端子と第３の端子とを有する第２の３端子ディスプレイユニットと、第１の端子が第３の相互接続に結合され、第２の端子が第４の相互接続に結合され、第３の端子が第７の相互接続に結合された、第１の端子と第２の端子と第３の端子とを有する第３の３端子ディスプレイユニットと、第１の端子が第５の相互接続に結合され、第２の端子が第４の相互接続に結合され、第３の端子が第７の相互接続に結合された、第１の端子と第２の端子と第３の端子とを有する第４の３端子ディスプレイユニットと、第１の端子が第１の相互接続に結合され、第２の端子が第６の相互接続に結合され、第３の端子が第７の相互接続に結合された、を含むことができる。
【００２３】
[0023]いくつかの実装形態では、第１のディスプレイユニットおよび第４のディスプレイユニットはディスプレイユニットの第１のグループに関連し、第２のディスプレイユニットおよび第３のディスプレイユニットはディスプレイユニットの第２のグループに関連する。
【００２４】
[0024]本開示で説明する主題の１つまたは複数の実装形態の詳細が、添付の図面および以下の説明に記載されている。本開示で与える例は、主にＥＭＳおよびＭＥＭＳベースのディスプレイに関して説明されるが、本明細書で提供する概念は、液晶ディスプレイ、有機発光ダイオード（「ＯＬＥＤ」）ディスプレイ、および電界放出ディスプレイなど、他のタイプのディスプレイに適用され得る。他の特徴、態様、および利点は、説明、図面、および特許請求の範囲から明らかになるであろう。以下の図の相対寸法は一定の縮尺で描かれていないことがあることに留意されたい。
【図面の簡単な説明】
【００２５】
【図１】[0025]干渉変調器（ＩＭＯＤ）ディスプレイデバイスのディスプレイ要素のシリーズまたはアレイ中の２つの隣接するＩＭＯＤディスプレイ要素を示す等角図。
【図２】[0026]ＩＭＯＤディスプレイ要素の３要素×３要素アレイを含むＩＭＯＤベースのディスプレイを組み込んだ電子デバイスを示すシステムブロック図。
【図３Ａ】[0027]電気機械システム（ＥＭＳ）要素のアレイとバックプレートとを含むＥＭＳパッケージの一部分の概略展開部分斜視図。
【図３Ｂ】電気機械システム（ＥＭＳ）要素のアレイとバックプレートとを含むＥＭＳパッケージの一部分の概略展開部分斜視図。
【図４】[0028]ＩＭＯＤベースのディスプレイを組み込んだ電子デバイスを示すシステムブロック図の一例の図。
【図５】[0029]３端子ＩＭＯＤの一例の回路図。
【図６Ａ】[0030]図５の回路図における電界の図。
【図６Ｂ】図５の回路図における電界の図。
【図６Ｃ】図５の回路図における電界の図。
【図６Ｄ】図５の回路図における電界の図。
【図７Ａ】[0031]ＩＭＯＤベースのディスプレイのための極性の例の図。
【図７Ｂ】ＩＭＯＤベースのディスプレイのための極性の例の図。
【図８】[0032]ライン反転を使用するＩＭＯＤベースのディスプレイの一例の回路図。
【図９】[0033]図８の回路図によって与えられる極性の一例の図。
【図１０】[0034]列反転を使用するＩＭＯＤベースのディスプレイの一例の回路図。
【図１１】[0035]図１０の回路図によって与えられる極性の一例の図。
【図１２】[0036]ドット反転を使用するＩＭＯＤベースのディスプレイの一例の回路図。
【図１３】[0037]図１２の回路図によって与えられる極性の一例の図。
【図１４】[0038]ドット反転を使用するＩＭＯＤベースのディスプレイの別の例の回路図。
【図１５】[0039]図１４の回路のディスプレイモジュールの２×２配置の一例の回路図。
【図１６Ａ】[0040]ＩＭＯＤの電極の抵抗器キャパシタ（ＲＣ）遅延の例の図。
【図１６Ｂ】ＩＭＯＤの電極の抵抗器キャパシタ（ＲＣ）遅延の例の図。
【図１７】[0041]ＩＭＯＤベースのディスプレイのための行選択相互接続の一例の回路図。
【図１８】[0042]ＩＭＯＤベースのディスプレイのための行選択相互接続の一例の回路図。
【図１９】[0043]ＩＭＯＤベースのディスプレイのための行選択相互接続の一例の回路図。
【図２０】[0044]ドット反転構成において極性を与えるための方法例示流れ図。
【図２１Ａ】[0045]複数のＩＭＯＤディスプレイ要素を含むディスプレイデバイスを示すシステムブロック図。
【図２１Ｂ】複数のＩＭＯＤディスプレイ要素を含むディスプレイデバイスを示すシステムブロック図。
【発明を実施するための形態】
【００２６】
[0046]様々な図面中の同様の参照番号および名称は同様の要素を示す。
【００２７】
[0047]以下の説明は、本開示の発明的態様について説明する目的で、いくつかの実装形態を対象とする。ただし、本明細書の教示が多数の異なる方法で適用され得ることを、当業者は容易に認識されよう。説明する実装形態は、動いていようと（ビデオなど）、静止していようと（静止画像など）、およびテキストであろうと、グラフィックであろうと、絵であろうと、画像を表示するように構成され得る任意のデバイス、装置、またはシステムにおいて実装され得る。より詳細には、説明する実施形態は、限定はしないが、携帯電話、マルチメディアインターネット対応セルラー電話、モバイルテレビジョン受信機、ワイヤレスデバイス、スマートフォン、Ｂｌｕｅｔｏｏｔｈ（登録商標）デバイス、携帯情報端末（ＰＤＡ）、ワイヤレス電子メール受信機、ハンドヘルドまたはポータブルコンピュータ、ネットブック、ノートブック、スマートブック、タブレット、プリンタ、コピー機、スキャナ、ファクシミリデバイス、全地球測位システム（ＧＰＳ）受信機／ナビゲータ、カメラ、デジタルメディアプレーヤ（ＭＰ３プレーヤなど）、カムコーダ、ゲーム機、腕時計、クロック、計算器、テレビジョンモニタ、フラットパネルディスプレイ、電子リーディングデバイス（たとえば、電子リーダー）、コンピュータモニタ、自動車ディスプレイ（オドメータおよびスピードメータディスプレイなどを含む）、コックピットコントロールおよび／またはディスプレイ、カメラビューディスプレイ（車両における後部ビューカメラのディスプレイなど）、電子写真、電子ビルボードまたは標示、プロジェクタ、アーキテクチャ構造物、電子レンジ、冷蔵庫、ステレオシステム、カセットレコーダまたはプレーヤ、ＤＶＤプレーヤ、ＣＤプレーヤ、ＶＣＲ、ラジオ、ポータブルメモリチップ、洗濯機、乾燥機、洗濯機／乾燥機、パーキングメータ、（マイクロ電気機械システム（ＭＥＭＳ）適用例を含む電気機械システム（ＥＭＳ）適用例、ならびに非ＥＭＳ適用例などにおける）パッケージング、審美構造物（１つの宝飾品または衣類上の画像のディスプレイなど）、ならびに様々なＥＭＳデバイスなど、様々な電子デバイス中に含まれるかまたはそれらに関連付けられ得ると考えられる。また、本明細書の教示は、限定はしないが、電子スイッチングデバイス、無線周波フィルタ、センサー、加速度計、ジャイロスコープ、動き感知デバイス、磁力計、コンシューマーエレクトロニクスのための慣性構成要素、コンシューマーエレクトロニクス製品の部品、バラクタ、液晶デバイス、電気泳動デバイス、駆動方式、製造プロセスおよび電子テスト機器など、非ディスプレイ適用例において使用され得る。したがって、本教示は、単に図に示す実装形態に限定されるものではなく、代わりに、当業者に容易に明らかになるであろう広い適用性を有する。
【００２８】
[0048]干渉変調器（ＩＭＯＤ）ディスプレイは、特定の波長で光を反射するために様々なポイントに配置され得る、ミラーなど、可動要素を含むことができる。しかしながら、電界が印加されているとき、電荷がＩＭＯＤの様々な部分上に蓄積し得る。ＩＭＯＤでは、電荷の蓄積がそれの性能に影響を及ぼすことがある。本開示で説明する主題のいくつかの実装形態は、電荷平衡を維持し、したがって、電荷蓄積を低減するために、ＩＭＯＤの電界の極性を反転させることを含む。
【００２９】
[0049]いくつかの実装形態では、ＩＭＯＤは３端子デバイスであり得る。各端子は相互接続に関連し得る。相互接続は、異なる行または列中のＩＭＯＤ間を「ジグザグに進む」かまたは交互に結合し、したがって、ＩＭＯＤのディスプレイに「チェッカーボード（checkerboard）」極性パターンを与え得る。さらに、行選択に関連する相互接続はまた、行中のスイッチ間を交互に結合するために、ルーティングされ得る。
【００３０】
[0050]本開示で説明する主題の特定の実装形態は、以下の潜在的な利点のうちの１つまたは複数を実現するように実装され得る。ＩＭＯＤの電界の極性を反転させることは、性能に影響を及ぼし得る電荷の蓄積を低減することがある。さらに、ＩＭＯＤなど、３端子デバイスを使用するディスプレイは、ちらつきの可視性を低減するドット反転構成またはチェッカーボード構成を与えるために、行または列間を交互する相互接続を利用し得る。さらに、電力要件も低減され得る。
【００３１】
[0051]説明する実装形態が適用され得る好適なＥＭＳまたはＭＥＭＳデバイスまたは装置の一例は反射型ディスプレイデバイスである。反射型ディスプレイデバイスは、光学干渉の原理を使用してそれに入射する光を選択的に吸収および／または反射するために実装され得る干渉変調器（ＩＭＯＤ）ディスプレイ要素を組み込むことができる。ＩＭＯＤディスプレイ要素は、部分光吸収体（absorber）、吸収体に対して可動である反射体（reflector）、ならびに吸収体と反射体との間に画定された光共振キャビティを含むことができる。いくつかの実装形態では、反射体は、２つ以上の異なる位置に移動され得、これは、光共振キャビティのサイズを変化させ、それによってＩＭＯＤの反射率（reflectance）に影響を及ぼすことができる。ＩＭＯＤディスプレイ要素の反射スペクトルは、異なる色を生成するために可視波長にわたってシフトされ得るかなり広いスペクトルバンドをもたらすことができる。スペクトルバンドの位置は、光共振キャビティの厚さを変更することによって調整され得る。光共振キャビティを変更する１つの方法は、吸収体に関して反射体の位置を変更することによる方法である。
【００３２】
[0052]図１は、干渉変調器（ＩＭＯＤ）ディスプレイデバイスのディスプレイ要素のシリーズまたはアレイ中の２つの隣接するＩＭＯＤディスプレイ要素を示す等角図である。ＩＭＯＤディスプレイデバイスは、１つまたは複数の干渉ＥＭＳ（ＭＥＭＳなど）ディスプレイ要素を含む。これらのデバイスでは、干渉ＭＥＭＳディスプレイ要素は、明状態または暗状態のいずれかに構成され得る。明（「緩和」、「開」または「オン」など）状態では、ディスプレイ要素は入射可視光の大部分を反射する。逆に、暗（「作動」、「閉」または「オフ」など）状態では、ディスプレイ要素は入射可視光をほとんど反射しない。ＭＥＭＳディスプレイ要素は、黒および白に加えて、主にカラーディスプレイを可能にする光の特定の波長で反射するように構成され得る。いくつかの実装形態では、複数のディスプレイ要素を使用することによって、原色の様々な強度およびグレーの様々な濃淡が達成され得る。
【００３３】
[0053]ＩＭＯＤディスプレイデバイスは、行と列に構成され得るＩＭＯＤディスプレイ要素のアレイを含むことができる。アレイ中の各ディスプレイ要素は、（光ギャップ、キャビティまたは光共振キャビティとも呼ばれる）エアギャップを形成するように互いから可変で制御可能な距離をおいて配置された、可動反射層（すなわち、機械層とも呼ばれる可動層）と固定部分反射層（すなわち、固定層）など、少なくとも反射層と半反射層のペアを含むことができる。可動反射層は少なくとも２つの位置間で移動され得る。たとえば、第１の位置、すなわち、緩和位置では、可動反射層は、固定部分反射層から距離をおいて配置され得る。第２の位置、すなわち、作動位置では、可動反射層は、部分反射層により近接して配置され得る。それらの２つの層から反射する入射光は、可動反射層の位置と入射光の（１つまたは複数の）波長とに応じて、強め合うようにおよび／または弱め合うように干渉し、各ディスプレイ要素について全反射状態または無反射状態のいずれかを引き起こすことがある。いくつかの実装形態では、ディスプレイ要素は、作動していないときに反射状態にあり、可視スペクトル内の光を反射し得、また、作動しているときに暗状態にあり、可視範囲内の光を吸収し、および／または弱め合うようにそれに干渉し得る。ただし、いくつかの他の実装形態では、ＩＭＯＤディスプレイ要素は、作動していないときに暗状態にあり、作動しているときに反射状態にあり得る。いくつかの実装形態では、印加電圧の導入が、状態を変更するようにディスプレイ要素を駆動することができる。いくつかの他の実装形態では、印加電荷が、状態を変更するようにディスプレイ要素を駆動することができる。
【００３４】
[0054]図１中のアレイの図示の部分は、ＩＭＯＤディスプレイ要素１２の形態の２つの隣接する干渉ＭＥＭＳディスプレイ要素を含む。（図示のような）右側のディスプレイ要素１２では、可動反射層１４は、光学スタック１６の近くの、それに隣接する、またはそれに接触する作動位置に示されている。右側のディスプレイ要素１２の両端間に印加された電圧Ｖbiasは、可動反射層１４を移動させ、またそれを作動位置に維持するのに十分である。（図示のような）左側のディスプレイ要素１２では、可動反射層１４は、部分反射層を含む光学スタック１６から（設計パラメータに基づいてあらかじめ決定され得る）ある距離をおいた緩和位置に示されている。左側のディスプレイ要素１２の両端間に印加された電圧Ｖ0は、右側のディスプレイ要素１２の作動位置などの作動位置への可動反射層１４の作動を引き起こすには不十分である。
【００３５】
[0055]図１では、ＩＭＯＤディスプレイ要素１２の反射特性が、概して、ＩＭＯＤディスプレイ要素１２に入射する光１３と、左側のディスプレイ要素１２から反射する光１５とを示す矢印を用いて示されている。ディスプレイ要素１２に入射する光１３の大部分は透明基板２０を透過し、光学スタック１６に向かい得る。光学スタック１６に入射する光の一部分は光学スタック１６の部分反射層を透過し得、一部分は反射され、透明基板２０を通って戻ることになる。光学スタック１６を透過した光１３の部分は、可動反射層１４から反射され、透明基板２０に向かって（およびそれを通って）戻り得る。光学スタック１６の部分反射層から反射された光と可動反射層１４から反射された光との間の（強め合うおよび／または弱め合う）干渉が、デバイスの閲覧側または基板側のディスプレイ要素１２から反射される光１５の（１つまたは複数の）波長の強度を部分的に決定することになる。いくつかの実装形態では、透明基板２０は（ガラスプレートまたはパネルと呼ばれることがある）ガラス基板であり得る。ガラス基板は、たとえば、ホウケイ酸ガラス、ソーダ石灰ガラス、石英、パイレックス（登録商標）、または他の好適なガラス材料であるかまたはそれらを含み得る。いくつかの実装形態では、ガラス基板は、０．３、０．５または０．７ミリメートルの厚さを有し得るが、いくつかの実装形態では、ガラス基板は（数十ミリメートルなど）より厚いことも（０．３ミリメートル未満など）より薄いこともある。いくつかの実装形態では、ポリカーボネート、アクリル、ポリエチレンテレフタラート（ＰＥＴ）またはポリエーテルエーテルケトン（ＰＥＥＫ）基板など、非ガラス基板が使用され得る。そのような実装形態では、非ガラス基板は０．７ミリメートル未満の厚さを有する可能性があるが、基板は設計考慮事項に応じてより厚いことがある。いくつかの実装形態では、金属箔またはステンレス鋼ベースの基板など、不透明基板が使用され得る。たとえば、固定反射層と、部分的に透過性で、部分的に反射性である可動層とを含む逆方向（reverse）ＩＭＯＤベースのディスプレイは、図［＃Ａ］のディスプレイ要素１２として基板の反対側から閲覧されるように構成され得、不透明基板によってサポートされ得る。
【００３６】
[0056]光学スタック１６は、単一の層またはいくつかの層を含むことができる。その（１つまたは複数の）層は、電極層と、部分反射および部分透過層と、透明な誘電体層とのうちの１つまたは複数を含むことができる。いくつかの実装形態では、光学スタック１６は、電気伝導性であり、部分的に透明で、部分的に反射性であり、たとえば、透明基板２０上に上記の層のうちの１つまたは複数を堆積させることによって、作製され得る。電極層は、様々な金属、たとえば酸化インジウムスズ（ＩＴＯ）など、様々な材料から形成され得る。部分反射層は、様々な金属（たとえば、クロムおよび／またはモリブデン）、半導体、および誘電体など、部分的に反射性である様々な材料から形成され得る。部分反射層は、材料の１つまたは複数の層から形成され得、それらの層の各々は、単一の材料または材料の組合せから形成され得る。いくつかの実装形態では、光学スタック１６のいくつかの部分は、部分光吸収体と電気導体の両方として働く、金属または半導体の単一の半透明の膜（thickness）を含むことができるが、（たとえば、光学スタック１６の、またはディスプレイ要素の他の構造の）異なる、電気的により伝導性の高い層または部分が、ＩＭＯＤディスプレイ要素間で信号をバスで運ぶ（bus）ように働くことができる。光学スタック１６は、１つまたは複数の導電層または電気伝導性／部分吸収層をカバーする、１つまたは複数の絶縁層または誘電体層をも含むことができる。
【００３７】
[0057]いくつかの実装形態では、光学スタック１６の（１つまたは複数の）層の少なくともいくつかは、以下でさらに説明するように、平行ストリップにパターニングされ得、ディスプレイデバイスにおける行電極を形成し得る。当業者によって理解されるように、「パターニング」という用語を、本明細書では、マスキングプロセスならびにエッチングプロセスを指すために使用する。いくつかの実装形態では、アルミニウム（Ａｌ）などの高導電性および反射性材料が可動反射層１４のために使用され得、これらのストリップはディスプレイデバイスにおける列電極を形成し得る。可動反射層１４は、（光学スタック１６の行電極に直交する）１つまたは複数の堆積された金属層の平行ストリップのシリーズとして形成されて、図示されたポスト１８など、支持体の上に堆積された列と、ポスト１８間に位置する介在する犠牲材料とを形成し得る。犠牲材料がエッチング除去されると、画定されたギャップ１９または光キャビティが可動反射層１４と光学スタック１６との間に形成され得る。いくつかの実装形態では、ポスト１８間の間隔は約１〜１０００μｍであり得、ギャップ１９は約１０，０００オングストローム（Å）未満であり得る。
【００３８】
[0058]いくつかの実装形態では、各ＩＭＯＤディスプレイ要素は、作動状態にあろうと緩和状態にあろうと、固定反射層および可動反射層によって形成されるキャパシタと見なされ得る。電圧が印加されないとき、可動反射層１４は、図［＃Ａ］中の左側のディスプレイ要素１２によって示されるように、機械的に緩和した状態にとどまり、可動反射層１４と光学スタック１６との間にギャップ１９がある。しかしながら、電位差、すなわち電圧が、選択された行および列のうちの少なくとも１つに印加されたとき、対応するディスプレイ要素における行電極と列電極との交差部に形成されたキャパシタは帯電し、静電力がそれらの電極を引き合わせる。印加された電圧がしきい値を超える場合、可動反射層１４は、変形し、光学スタック１６の近くにまたはそれに対して移動することができる。光学スタック１６内の誘電体層（図示せず）が、図１中の右側の作動ディスプレイ要素１２によって示されるように、短絡を防ぎ、層１４と層１６との間の分離距離を制御し得る。その挙動は、印加電位差の極性にかかわらず同じであり得る。いくつかの事例ではアレイ中のディスプレイ要素のシリーズが「行」または「列」と呼ばれることがあるが、ある方向を「行」と呼び、別の方向を「列」と呼ぶことは恣意的であることを、当業者は容易に理解されよう。言い換えれば、いくつかの配向では、行は列と見なされ得、列は行であると見なされ得る。いくつかの実装形態では、行は「コモン」ラインと呼ばれることがあり、列は「セグメント」ラインと呼ばれることがあり、その逆も同様である。さらに、ディスプレイ要素は、直交する行および列に一様に配置されるか（「アレイ」）、または、たとえば、互いに対して一定の位置オフセットを有する、非線形構成で配置され得る（「モザイク」）。「アレイ」および「モザイク」という用語は、いずれかの構成を指すことがある。したがって、ディスプレイは、「アレイ」または「モザイク」を含むものとして言及されるが、その要素自体は、いかなる事例においても、互いに直交して配置される必要がなく、または一様な分布で配設される必要がなく、非対称形状および不均等に分布された要素を有する配置を含み得る。
【００３９】
[0059]図２は、ＩＭＯＤディスプレイ要素の３要素×３要素アレイを含むＩＭＯＤベースのディスプレイを組み込んだ電子デバイスを示すシステムブロック図である。電子デバイスは、１つまたは複数のソフトウェアモジュールを実行するように構成され得るプロセッサ２１を含む。オペレーティングシステムを実行することに加えて、プロセッサ２１は、ウェブブラウザ、電話アプリケーション、電子メールプログラム、または他のソフトウェアアプリケーションを含む、１つまたは複数のソフトウェアアプリケーションを実行するように構成され得る。
【００４０】
[0060]プロセッサ２１は、アレイドライバ２２と通信するように構成され得る。アレイドライバ２２は、たとえばディスプレイアレイまたはパネル３０に、信号を与える行ドライバ回路２４と列ドライバ回路２６とを含むことができる。図２には、図１に示されたＩＭＯＤディスプレイデバイスの断面が線１−１によって示されている。図２は明快のためにＩＭＯＤディスプレイ要素の３×３アレイを示しているが、ディスプレイアレイ３０は、極めて多数のＩＭＯＤディスプレイ要素を含んでいることがあり、列におけるＩＭＯＤディスプレイ要素の数とは異なる数のＩＭＯＤディスプレイ要素を行において有し得、その逆も同様である。
【００４１】
[0061]図３Ａおよび図３Ｂは、ＥＭＳ要素のアレイ３６とバックプレート９２とを含むＥＭＳパッケージ９１の一部分の概略展開部分斜視図である。図３Ａは、バックプレート９２のいくつかの部分をよりよく示すためにバックプレート９２の２つのコーナーを切除して示されているが、図３Ｂは、コーナーを切除せずに示されている。ＥＭＳアレイ３６は、基板２０と、支持ポスト１８と、可動層１４とを含むことができる。いくつかの実装形態では、ＥＭＳアレイ３６は、透明基板上に１つまたは複数の光学スタック部分１６をもつＩＭＯＤディスプレイ要素のアレイを含むことができ、可動層１４は可動反射層として実装され得る。
【００４２】
[0062]バックプレート９２は、本質的に平面であり得るか、または少なくとも１つの成形表面を有することができる（たとえば、バックプレート９２は凹部および／または突出部とともに形成され得る）。バックプレート９２は、透明か不透明か、導電性か絶縁性かにかかわらず、任意の好適な材料から製造され得る。バックプレート９２に適した材料は、限定はしないが、ガラス、プラスチック、セラミック、ポリマー、積層体、金属、金属箔、コバールおよびめっきされたコバールを含む。
【００４３】
[0063]図３Ａおよび図３Ｂに示されているように、バックプレート９２は、バックプレート９２中に部分的にまたは全体的に埋め込まれ得る１つまたは複数のバックプレート構成要素９４ａおよび９４ｂを含むことができる。図３Ａに見られるように、バックプレート構成要素９４ａはバックプレート９２中に埋め込まれる。図３Ａおよび図３Ｂに見られるように、バックプレート構成要素９４ｂは、バックプレート９２の表面中に形成された凹部９３内に配設される。いくつかの実装形態では、バックプレート構成要素９４ａおよび／または９４ｂはバックプレート９２の表面から突出することができる。バックプレート構成要素９４ｂは、バックプレート９２の、基板２０に面する側に配設されるが、他の実装形態では、バックプレート構成要素はバックプレート９２の反対側に配設され得る。
【００４４】
[0064]バックプレート構成要素９４ａおよび／または９４ｂは、トランジスタ、キャパシタ、インダクタ、抵抗器、ダイオード、スイッチ、ならびに／あるいはパッケージ化集積回路（ＩＣ）、標準ＩＣまたは個別ＩＣなどのＩＣなど、１つまたは複数のアクティブまたはパッシブ電気的構成要素を含むことができる。様々な実装形態で使用され得るバックプレート構成要素の他の例としては、アンテナ、バッテリー、および電気的センサー、タッチセンサー、光センサー、または化学センサーなどのセンサー、あるいは薄膜堆積デバイスがある。
【００４５】
[0065]いくつかの実装形態では、バックプレート構成要素９４ａおよび／または９４ｂはＥＭＳアレイ３６の部分と電気通信していることがある。トレース、バンプ、ポスト、またはビアなどの導電性構造が、バックプレート９２または基板２０の一方または両方上に形成され得、ＥＭＳアレイ３６とバックプレート構成要素９４ａおよび／または９４ｂとの間の電気的接続を形成するために、互いにまたは他の導電性構成要素に接触し得る。たとえば、図３Ｂは、ＥＭＳアレイ３６内の可動層１４から上方に延びる電気的接触９８と整合され得る、バックプレート９２上の１つまたは複数の導電性ビア９６を含む。いくつかの実装形態では、バックプレート９２は、ＥＭＳアレイ３６の他の構成要素からバックプレート構成要素９４ａおよび／または９４ｂを電気的に絶縁する１つまたは複数の絶縁層をも含むことができる。バックプレート９２が蒸気透過性材料から形成されるいくつかの実装形態では、バックプレート９２の内面は蒸気バリア（図示せず）でコーティングされ得る。
【００４６】
[0066]バックプレート構成要素９４ａおよび９４ｂは、ＥＭＳパッケージ９１に入り得る湿気を吸収するように働く１つまたは複数の乾燥剤を含むことができる。いくつかの実装形態では、乾燥剤（またはゲッターなどの他の湿気吸収材料）は、たとえば、接着剤でバックプレート９２に（またはその中に形成された凹部中に）取り付けられたシートとして、他のバックプレート構成要素とは別に与えられ得る。代替的に、乾燥剤はバックプレート９２に組み込まれ得る。いくつかの他の実装形態では、乾燥剤は、たとえば、スプレーコーティング、スクリーン印刷、または他の好適な方法によって、他のバックプレート構成要素上に直接または間接的に適用され得る。
【００４７】
[0067]いくつかの実装形態では、ＥＭＳアレイ３６および／またはバックプレート９２は、バックプレート構成要素とディスプレイ要素との間の距離を維持し、それによって、それらの構成要素間の機械的干渉を防ぐための機械的スタンドオフ９７を含むことができる。図３Ａおよび図３Ｂに示された実装形態では、機械的スタンドオフ９７は、ＥＭＳアレイ３６の支持ポスト１８と整合されてバックプレート９２から突出するポストとして形成される。代替的にまたは追加として、レールまたはポストなどの機械的スタンドオフは、ＥＭＳパッケージ９１の縁に沿って設けられ得る。
【００４８】
[0068]図３Ａおよび図３Ｂに示されていないが、ＥＭＳアレイ３６を部分的にまたは完全に取り囲むシールが設けられ得る。バックプレート９２および基板２０とともに、シールは、ＥＭＳアレイ３６を密閉する保護キャビティを形成することができる。シールは、従来のエポキシ系接着剤など、半気密シールであり得る。いくつかの他の実装形態では、シールは、薄膜金属溶接部またはガラスフリットなど、気密シールであり得る。いくつかの他の実装形態では、シールは、ポリイソブチレン（ＰＩＢ）、ポリウレタン、液体スピンオンガラス、はんだ、ポリマー、プラスチック、または他の材料を含み得る。いくつかの実装形態では、機械的スタンドオフを形成するために強化シーラントが使用され得る。
【００４９】
[0069]代替実装形態では、シールリングは、バックプレート９２または基板２０のいずれか一方または両方の延長部を含み得る。たとえば、シールリングは、バックプレート９２の機械的延長部（図示せず）を含み得る。いくつかの実装形態では、シールリングは、Ｏリングまたは他の環状部材など、別個の部材を含み得る。
【００５０】
[0070]いくつかの実装形態では、ＥＭＳアレイ３６とバックプレート９２とは、互いに取り付けられるかまたは結合される前に別々に形成される。たとえば、基板２０の縁は、上記で説明したようにバックプレート９２の縁に取り付けられ、密封され得る。代替的に、ＥＭＳアレイ３６とバックプレート９２とは、ＥＭＳパッケージ９１として形成され、互いに接合され得る。いくつかの他の実装形態では、ＥＭＳパッケージ９１は、堆積によってＥＭＳアレイ３６上にバックプレート９２の構成要素を形成することによってなど、他の好適な様式で作製され得る。
【００５１】
[0071]図４は、ＩＭＯＤベースのディスプレイを組み込んだ電子デバイスを示すシステムブロック図の一例である。その上、図４は、前に説明したように、たとえばディスプレイアレイまたはパネル３０に信号を与える、アレイドライバ２２の行ドライバ回路２４および列ドライバ回路２６の実装形態を示している。
【００５２】
[0072]一例として、第４の行中のディスプレイモジュール４１０は、スイッチ４２０とディスプレイユニット４５０とを含み得る。ディスプレイモジュール４１０は、行ドライバ回路２４から行信号およびコモン信号を与えられ得る。ディスプレイモジュール４１０はまた、列ドライバ回路２６から列信号を与えられ得る。ディスプレイモジュール４１０の実装形態は様々な異なる設計を含み得る。いくつかの実装形態では、ディスプレイユニット４５０は、それのゲートが行信号に結合され、列信号がドレインに与えられるトランジスタなど、スイッチ４２０と結合され得る。各ディスプレイユニット４５０はＩＭＯＤディスプレイ要素を含み得る。いくつかの実装形態では、各ディスプレイユニット４５０は、ディスプレイパネル３０中のピクセルに対応する。
【００５３】
[0073]図５は、３端子ＩＭＯＤの一例の回路図である。いくつかの実装形態では、図５の回路は、図４のディスプレイユニット４５０（たとえば、ＩＭＯＤ）を含み得る。図５の回路は、ｎ形金属酸化物半導体（ＮＭＯＳ）トランジスタＭ１  ５１０として実装される図４のスイッチ４２０を含む。トランジスタＭ１  ５１０のゲートは、図４の行ドライバ回路２４によって与えられ得るＶｒｏｗ５３０に結合される。トランジスタＭ１  ５１０はまた、図４の列ドライバ回路２６によって与えられ得るＶｃｏｌｕｍｎ５２０に結合される。特に、Ｖｒｏｗ５３０がバイアスされて、トランジスタＭ１  ５１０がオンにされた場合、Ｖｃｏｌｕｍｎ５２０上の電圧はＶｄ電極５６０に印加され得る。
【００５４】
[0074]一実装形態では、ディスプレイユニット４５０は、３つの端子または電極、すなわち、Ｖｂｉａｓ電極５５５、Ｖｄ電極５６０、およびＶｃｏｍ電極５６５を含む３端子ＩＭＯＤであり得る。ディスプレイユニット４５０はまた、可動要素５７０と誘電体５７５とを含み得る。可動要素５７０はミラーを含み得る。可動要素５７０はＶｄ電極５６０と結合され得る。さらに、いくつかの実装形態では、Ｖｂｉａｓ電極５５５とＶｄ電極５６０との間にエアギャップ５８５があり得る。Ｖｄ電極５６０とＶｃｏｍ電極５６５との間にエアギャップ５９０があり得る。いくつかの実装形態では、ディスプレイユニット４５０はまた、１つまたは複数のキャパシタを含み得る。たとえば、Ｖｄ電極５６０とＶｃｏｍ電極５６５との間に、またはＶｂｉａｓ電極５５５とＶｄ電極５６０との間に１つまたは複数のキャパシタが結合され得る。
【００５５】
[0075]可動要素５７０は、特定の波長で光を反射するために、Ｖｂｉａｓ電極５５５とＶｃｏｍ電極５６５との間の様々なポイントに配置され得る。特に、Ｖｂｉａｓ電極５５５、Ｖｄ電極５６０、およびＶｃｏｍ電極５６５の印加電圧バイアスが、可動要素５７０の位置を決定し得る。
【００５６】
[0076]Ｖｂｉａｓ電極５５５、Ｖｄ電極５６０、およびＶｃｏｍ電極５６５の電圧バイアスはまた、ディスプレイユニット４５０内に電界を発生し得る。図６Ａ、図６Ｂ、図６Ｃ、および図６Ｄは、図５の回路図における電界の図である。特に、図６Ａでは、Ｖｂｉａｓ電極５５５に印加された電圧が、Ｖｄ電極５６０に印加された電圧よりも高く、Ｖｄ電極５６０に印加された電圧が、Ｖｃｏｍ電極５６５に印加された電圧よりも高い場合、Ｖｂｉａｓ電極５５５からＶｄ電極５６０に（すなわち、高電位から低電位に）向く方向をもつ電界６０５が発生され得る。さらに、Ｖｄ電極５６０からＶｃｏｍ電極５６５に向く方向をもつ電界６１０も発生され得る。一例として、図６Ａでは、たとえば、Ｖｂｉａｓ電極５５５が１０Ｖ（ボルト）においてバイアスされ、Ｖｄ電極５６０が５Ｖにおいてバイアスされ、Ｖｃｏｍ電極５６５が０Ｖにおいてバイアスされた場合、電界６０５および６１０は両方とも下方を向き得る。
【００５７】
[0077]図６Ｂでは、電界６０５および６１０は、図６Ａにおける方向とは反対方向のものである。特に、Ｖｂｉａｓ電極５５５に印加された電圧が、Ｖｄ電極５６０に印加された電圧よりも低く、Ｖｄ電極５６０に印加された電圧が、Ｖｃｏｍ電極５６５に印加された電圧よりも低い場合、電界６０５はＶｄ電極５６０からＶｂｉａｓ電極５５５に向き得る。さらに、電界６１０は、Ｖｃｏｍ電極５６５からＶｄ電極５６０に向き得る。一例として、図６Ｂでは、たとえば、Ｖｂｉａｓ電極５５５が０Ｖにおいてバイアスされ、Ｖｄ電極５６０が５Ｖにおいてバイアスされ、Ｖｃｏｍ電極５６５が１０Ｖにおいてバイアスされた場合、電界６０５および６１０は両方とも上方を向き得る。
【００５８】
[0078]したがって、電極間で極性を切り替えることは、ディスプレイユニット４５０（たとえば、３端子ＩＭＯＤ）における電界６０５および６１０の方向を切り替え得る。すなわち、Ｖｂｉａｓ電極５５５、Ｖｄ電極５６０、および／またはＶｃｏｍ電極５６５に印加される電圧は、電界６０５および６１０が方向を切り替え得るように変更され得る。
【００５９】
[0079]図６Ｃおよび図６Ｄはまた、３端子ＩＭＯＤなど、ディスプレイユニット４５０内で誘起された電界を示す。特に、図６Ｃでは、Ｖｂｉａｓ電極５５５に印加された電圧が、Ｖｄ電極５６０に印加された電圧よりも低く、Ｖｄ電極５６０に印加された電圧が、Ｖｃｏｍ電極５６５に印加された電圧よりも高い場合、Ｖｄ電極５６０からＶｂｉａｓ電極５５５に向く方向をもつ電界６０５が生成され得る。さらに、Ｖｄ電極５６０からＶｃｏｍ電極５６５に向く方向をもつ電界６１０も発生され得る。すなわち、電界６０５および６１０は、Ｖｄ電極５６０から離れる反対方向に向き得る。一例として、図６Ｃでは、たとえば、Ｖｂｉａｓ電極５５５が１０  ５（ボルト）においてバイアスされ、Ｖｄ電極５６０が１０Ｖにおいてバイアスされ、Ｖｃｏｍ電極５６５が０Ｖにおいてバイアスされた場合、電界６０５および６１０は両方とも反対方向に向き得る。
【００６０】
[0080]図６Ｄでは、電界６０５および６１０は、図６Ｃにおける方向とは反対方向のものである。すなわち、電界６０５と電界６１０の両方が両方ともＶｄ電極５６０のほうを向く。特に、Ｖｂｉａｓ電極５５５に印加された電圧が、Ｖｄ電極５６０に印加された電圧よりも高く、Ｖｄ電極５６０に印加された電圧が、Ｖｃｏｍ電極５６５に印加された電圧よりも低い場合、電界６０５はＶｂｉａｓ電極５５５からＶｄ電極５６０に向き得る。さらに、電界６１０は、Ｖｃｏｍ電極５６５からＶｄ電極５６０に向き得る。一例として、図６Ｄでは、たとえば、Ｖｂｉａｓ電極５５５が１０Ｖにおいてバイアスされ、Ｖｄ電極５６０が０Ｖにおいてバイアスされ、Ｖｃｏｍ電極５６５が５Ｖにおいてバイアスされた場合、電界６０５および６１０は両方ともＶｄ電極５６０のほうを向き得る。
【００６１】
[0081]上述の例では、電圧は０Ｖから１０Ｖにわたる。しかしながら、電極間で極性を反転させ、したがって、電界の方向を変更するために任意の他の電圧値が使用され得る。たとえば、０Ｖ〜−１０Ｖの範囲が使用され得る。さらに、固定電圧がＶｂｉａｓ電極５５５またはＶｃｏｍ電極５６５の一方に印加され得、他方の電極に印加される電圧が切り替わり得る。たとえば、Ｖｃｏｍ電極５６５は０Ｖに固定され得る。Ｖｃｏｍ電極５６５とＶｂｉａｓ電極５５５との間で極性を反転させるために、Ｖｂｉａｓ電極５５５は、１０Ｖから−１０Ｖの間でスイングし得る。別の例として、Ｖｃｏｍ電極は１０Ｖに固定され得、Ｖｂｉａｓ電極５５５は１５Ｖから５Ｖの間でスイングし得る。別の例として、Ｖｃｏｍ電極は−１０Ｖに固定され得、Ｖｂｉａｓ電極５５５は−１５Ｖから−５Ｖの間でスイングし得る。別の実装形態では、Ｖｂｉａｓ電極５５５は固定され得、Ｖｃｏｍ電極５６５は電圧が切り替わり得る。別の実装形態では、Ｖｃｏｍ電極５６５など、１つの電極はある電圧に固定され得、Ｖｂｉａｓ電極５５５とＶｄ電極５６０の両方は電圧が変化し得る。
【００６２】
[0082]別の例では、Ｖｃｏｍ電極５６５は、たとえば、０Ｖに固定され得る。Ｖｂｉａｓ電極５５５は５Ｖであり得、Ｖｄ電極５６０は１０Ｖにあり得る。したがって、極性を切り替えるために、Ｖｂｉａｓ電極５５５は１０Ｖに切り替えられ得、Ｖｄ電極５６０は５Ｖに切り替えられ得る。別の例では、Ｖｂｉａｓ電極５５５は−５Ｖに切り替えられ得、Ｖｄ電極５６０は−１０Ｖに切り替えられ得る。
【００６３】
[0083]電界が印加されたとき、デバイス全体にわたって電荷が蓄積し得る。デバイス内の電界の方向を周期的に切り替えることは、デバイスにおける電荷平衡を実質的に維持し、したがって、電荷蓄積を低減し得る。ＩＭＯＤでは、電荷の蓄積がそれの性能に影響を及ぼすことがある。デバイスにおいて誘起された電界の方向を切り替えることは、電荷蓄積の効果を低減し、したがって、ＩＭＯＤの性能に対する影響を低減または緩和し得る。したがって、図６Ａおよび図６Ｂ、図６Ｃおよび図６Ｄ、または本明細書で開示する他の例の場合のように電界６０５および６１０の方向を切り替えることは、ＩＭＯＤの性能に影響を及ぼし得る電荷の蓄積を低減することができる。
【００６４】
[0084]図７Ａおよび図７Ｂは、ＩＭＯＤベースのディスプレイのための極性の例の図である。図７Ａでは、第１のフレーム（たとえば、偶数フレーム）中に、極性は正であり得る（たとえば、図６Ａに関連する）。したがって、ＩＭＯＤベースのディスプレイ中の各ＩＭＯＤは正極性を有し得る。図７Ｂでは、第２のフレーム（たとえば、奇数フレーム）中に、電極間の極性は、反転させられ、したがって、負であり得る（たとえば、図６Ｂに関連する）。
【００６５】
[0085]しかしながら、極性を切り替えることは、正および負の極性におけるディスプレイユニット（たとえば、ＩＭＯＤ）の性能間の差により、ディスプレイ上に可視のちらつきを生じることがある。たとえば、電界６０５および６１０の方向を切り替えることは、可動要素５７０を電極のほうへわずかに引っ張り、したがって、それのミラーが別の波長で光を反射することを引き起こし、フレーム間のちらつきを発生し得る。
【００６６】
[0086]ピクセルの極性は、ちらつきの可視性を低減するために、特定のパターンで配置され得る。図８は、ライン反転を使用するＩＭＯＤベースのディスプレイの一例の回路図である。ライン反転は、図７Ａおよび図７Ｂの配置よりも少ない可視のちらつきを与え得る。
【００６７】
[0087]図８では、ディスプレイモジュール４１０のアレイ８００は、極性のライン反転パターンを作成するための相互接続の配置を含む。たとえば、図９は、図８の回路図によって与えられる極性の一例の図である。図８の回路は、それぞれ、Ｖｂｉａｓ電極５５５、Ｖｃｏｌｕｍｎ５２０、およびＶｒｏｗ５３０に関連する、相互接続Ｖｂｉａｓ８２０ａ〜８２０ｄ、Ｖｃｏｌｕｍｎ８１０ａ〜８１０ｄ、およびＶｒｏｗ８３０ａ〜８３０ｄを描く。図５に関して前に説明したように、Ｖｒｏｗ５３０が、トランジスタＭ１  ５１０オンをオンにするための電圧においてバイアスされた場合、Ｖｃｏｌｕｍｎ５２０によって与えられた電圧はＩＭＯＤのＶｄ電極５６０に印加され得る。
【００６８】
[0088]特に、Ｖｃｏｌｕｍｎ８１０ａ〜８１０ｄの各々は列中のディスプレイモジュールに結合される。たとえば、Ｖｃｏｌｕｍｎ８１０ａは第１の列中の４つのディスプレイモジュールに結合される。同様に、Ｖｃｏｌｕｍｎ８１０ｂ、Ｖｃｏｌｕｍｎ８１０ｃ、およびＶｃｏｌｕｍｎ８１０ｄも、それぞれの列中のディスプレイモジュールと結合される。
【００６９】
[0089]Ｖｂｉａｓ８２０ａ〜８２０ｄおよびＶｒｏｗ８３０ａ〜８３０ｄの各々は、行中のディスプレイモジュールに結合される。たとえば、Ｖｂｉａｓ８２０ａは第１の行中の各ディスプレイモジュールに結合される。Ｖｂｉａｓ８２０ｂは、第２の行中の各ディスプレイモジュールに結合される。Ｖｒｏｗ８３０ａ〜８３０ｄの各々も、単一の行中のディスプレイモジュールに結合される。
【００７０】
[0090]前に説明したように、図５におけるディスプレイユニット４５０など、３端子ＩＭＯＤは、３つの端子、すなわち、Ｖｂｉａｓ電極５５５、Ｖｄ電極５６０、およびＶｃｏｍ電極５６５を含む。Ｖｒｏｗ５３０がトランジスタＭ１  ５１０をオンにしたとき、Ｖｃｏｌｕｍｎ５２０上の電圧はＶｄ電極５６０に印加される。さらに、Ｖｃｏｍ電極５６５に関連するルーティングが図８に示されていないが、ディスプレイアレイ中の各ディスプレイユニット４５０のためのＶｃｏｍ電極５６５は固定電圧（たとえば、０Ｖ）に駆動され得る。しかしながら、他の実装形態では、Ｖｃｏｍ電極５６５に電圧バイアスを与える相互接続は、Ｖｂｉａｓ８２０ａ〜８２０ｄのそれと同様にルーティングされ得る。
【００７１】
[0091]図９は、図８の回路図によって与えられる極性の一例の図である。図９では、各行の極性は交番する。たとえば、第１のフレームにおいて、奇数番号の行（たとえば、第１の行、第３の行など）は、正極性に関連し得る。同じフレームにおいて、偶数番号の行（たとえば、第２の行、第４の行など）は、負極性に関連し得る。次のフレームにおいて、行の極性は切り替わり得る。すなわち、奇数番号の行の極性は正から負に切り替わり得る。偶数番号の行の極性は負から正に切り替わり得る。
【００７２】
[0092]図８の回路は、図６Ａ〜図６Ｄに関して説明したように電界の方向を切り替えること、および本明細書で説明する他の技法によって、行ごとに各ディスプレイユニット４１０の極性を反転させることによって、図９の極性パターンまたは配置を与え得る。たとえば、電圧がＶｂｉａｓ８２０ａに印加され得る。同様に、電圧がＶｃｏｌｕｍｎ８１０ａ〜８２０ｄに印加され得る。Ｖｒｏｗ８３０ａは、Ｖｃｏｌｕｍｎ８１０ａ〜８１０ｄ上の電圧を第１の行中のそれぞれのディスプレイモジュール４１０に「書き込む」かまたは印加するために、トランジスタＭ１  ５１０に電圧を印加し得る。したがって、第１の行中に得るディスプレイモジュール４１０は、たとえば、正極性に設定され得る。次に、第２の行のための相互接続のための電圧は、負極性に更新され得る。各行は、図９のパターンを与えるために、１つずつ特定の極性に設定または更新され得る。
【００７３】
[0093]しかしながら、図８の回路において、Ｖｃｏｌｕｍｎ８１０ａ〜８１０ｄは、ディスプレイモジュール４１０の各行について行ごとに正および負の極性を与える電圧において交番する。たとえば、Ｖｃｏｌｕｍｎ８１０ａは、第１の行中の第１のディスプレイモジュール４１０に第１の極性（たとえば、正極性）を与えるためにバイアスされる必要があり得る。第２の行が更新されているとき、Ｖｃｏｌｕｍｎ８１０ａは、第２の行中の第１のディスプレイモジュール４１０に第２の極性（たとえば、負極性）を与えるためにバイアスされる必要があり得る。各行が特定の極性に更新されるようにＶｃｏｌｕｍｎ８１０ａ〜８１０ｄを交番することは、電力要件を増加させ得る。さらに、ライン反転構成では、ちらつきは依然として比較的可視であり得る。
【００７４】
[0094]図１０は、列反転を使用するＩＭＯＤベースのディスプレイの一例の回路図である。図１１は、図１０の回路図によって与えられる極性の一例の図である。また、列ライン反転は、図７Ａおよび図７Ｂの配置よりも少ない知覚されるちらつきを生成し得る。
【００７５】
[0095]図１０では、ディスプレイモジュール４１０のアレイ１０００は、極性の列反転パターンを作成するための相互接続の配置を含む。特に、Ｖｃｏｌｕｍｎ１０１０ａ〜１０１０ｄおよびＶｂｉａｓ１０２０ａ〜１０２０ｄの各々は、ディスプレイモジュール４１０の列間で垂直方向にルーティングされる。すなわち、Ｖｂｉａｓ１０２０ａ〜１０２０ｄは、図８の回路図の場合のように行中ではなく、列間で垂直方向にルーティングされる。さらに、Ｖｃｏｌｕｍｎ１０１０ａ〜１０１０ｄおよびＶｂｉａｓ１０２０ａ〜１０２０ｄの各々は、列中のディスプレイモジュール４１０に結合する。たとえば、Ｖｃｏｌｕｍｎ１０１０ａおよびＶｂｉａｓ１０２０ａは、第１の列中の各ディスプレイモジュール４１０に結合する。さらに、図８の構成の場合のように、Ｖｒｏｗ１０３０ａ〜１０３０ｄの各々も、行中の各ディスプレイモジュール４１０に結合される。図８を用いて前に説明したように、Ｖｃｏｍ電極５６５に関連する相互接続も、与えられ、いくつかの実装形態では、固定電圧に駆動され得る。
【００７６】
[0096]図１１は、図１０の回路図によって与えられる極性の一例の図である。図１１では、各列の極性は交番する。たとえば、第１のフレームにおいて、奇数番号の列（たとえば、第１の列、第３の列など）は、正極性に関連し得る。同じフレームにおいて、偶数番号の列（たとえば、第２の列、第４列など）は、負極性に関連し得る。次のフレームにおいて、列の極性は切り替わり得る。すなわち、奇数番号の列の極性は正から負に切り替わり得る。偶数番号の列の極性は負から正に切り替わり得る。
【００７７】
[0097]特に、図１０の回路は、行ごとに各ディスプレイモジュール４１０の極性を反転させることによって、図１１の極性パターンまたは配置を与え得る。たとえば、Ｖｃｏｌｕｍｎ１０１０ａおよびＶｂｉａｓ１０２０ａの電圧バイアスは、Ｖｃｏｌｕｍｎ１０１０ａがＩＭＯＤの電極に印加されることを可能にする電圧がＶｒｏｗ１０３０ａ上にアサートされたとき、第１の行中の第１のディスプレイモジュール４１０への正極性を生成するために与えられ得る。Ｖｃｏｌｕｍｎ１０１０ｂおよびＶｂｉａｓ１０２０ｂは、第１の行中の第２のディスプレイモジュール４１０に負極性を与え得る。Ｖｃｏｌｕｍｎ１０１０ｃおよびＶｂｉａｓ１０２０ｃは、第１の行中の第３のディスプレイモジュール４１０に正極性を与える電圧を印加し得、Ｖｃｏｌｕｍｎ１０１０ｄおよびＶｂｉａｓ１０２０ｄは、第１の行中の第４のディスプレイモジュール４１０に負極性を与える電圧を印加し得る。また、後続のＶｒｏｗ１０３０ｂ〜１０３０ｄは、極性を印加するために、行ごとにアサートされ得る。
【００７８】
[0098]Ｖｃｏｌｕｍｎ７１０ａ〜７１０ｄが、各行間で正および負の極性を与えることにより変化し得る、図８の回路とは異なり、図１０におけるＶｃｏｌｕｍｎ１０１０ａ〜１０１０ｄは、それが結合された各ディスプレイモジュール（すなわち、同じ列中のディスプレイモジュール）に同じ極性を与え、したがって、電力要件を低減する。しかしながら、列反転を使用する３端子ＩＭＯＤアレイの場合、ＩＭＯＤが更新される準備ができるまで、Ｖｂｉａｓ電極５５５およびＶｄ電極５６０は切断される必要があり得るので、さらなる複雑さが追加される。特に、バイアスラインはフレームごとに１回更新されるが、ピクセルは行ごとに更新されるので、バイアスラインが切り替えられるときにピクセルが状態を変えることを防ぐために、バイアスラインは切断される必要がある。さらに、ちらつきは依然として比較的可視であり得る。
【００７９】
[0099]図１２は、ドット反転を使用するＩＭＯＤベースのディスプレイの一例の回路図である。図１３は、図１２の回路図によって与えられる極性の一例の図である。ドット反転は、図７Ａおよび図７Ｂ、図９、ならびに図１１の配置よりも少ない知覚されるちらつきを生成し得る。
【００８０】
[0100]図１２では、ディスプレイモジュール４１０のアレイ１２００は、極性のドット反転または「チェッカーボード」パターンを作成するための相互接続の配置を含む。特に、Ｖｃｏｌｕｍｎ１２１０ａ〜１２１０ｅおよびＶｂｉａｓ１２２０ａ〜１２２０ｂの各々は、ディスプレイモジュール４１０の列間で垂直方向にルーティングされる。Ｖｃｏｌｕｍｎ１２１０ａ〜１２１０ｅおよびＶｂｉａｓ１２２０ａ〜１２２０ｅの各々は、異なる列中のディスプレイモジュール４１０に交互に結合する。たとえば、Ｖｃｏｌｕｍｎ１２１０ａは第１の列中の第１および第３のディスプレイモジュールに結合される。Ｖｃｏｌｕｍｎ１２１０ｂは、第２の列中の第１および第３のディスプレイモジュール、ならびに第１の列中の第２および第４のディスプレイモジュールに結合される。すなわち、Ｖｃｏｌｕｍｎ１２１０ｂは、２つの異なる列中のディスプレイモジュール間を交互に結合するかまたは「ジグザグに進む」が、行中の単一のディスプレイモジュールのみに結合される。Ｖｂｉａｓ１２２０ａ〜１２１０ｅも同様のパターンでディスプレイモジュールに結合される。たとえば、Ｖｂｉａｓ１２２０ｂは、第１の列中の第１および第３のディスプレイモジュール、ならびに第２の列中の第２および第４のディスプレイモジュールに結合される。
【００８１】
[0101]一例として、第１の行の場合、第１および第３のディスプレイモジュール４１０に正極性を与えるために、Ｖｃｏｌｕｍｎ１２１０ａ、Ｖｃｏｌｕｍｎ１２１０ｃ、Ｖｂｉａｓ１２２０ｂ、およびＶｂｉａｓ１２２０ｄがバイアスされ得る。第２および第４のディスプレイモジュール４１０に負極性を与えるために、Ｖｃｏｌｕｍｎ１２１０ｂ、Ｖｃｏｌｕｍｎ１２１０ｄ、Ｖｂｉａｓ１２２０ｃ、およびＶｂｉａｓ１２２０ｅがバイアスされ得る。
【００８２】
[0102]しかしながら、図１０および図１１の列反転の場合のように、それぞれの行が更新のために選択されるまで、Ｖｂｉａｓ電極５５５およびＶｄ電極５６０は、同じく切断される必要があり得る。
【００８３】
[0103]図１４は、図１３のドット反転を使用するＩＭＯＤベースのディスプレイの別の例の回路図である。図１２の回路、図１４の回路とは異なり、Ｖｂｉａｓ電極５５５およびＶｄ電極５６０は切断される必要がない。さらに、Ｖｃｏｌｕｍｎ１４１０ａ〜１４１０ｅは、図１０の回路の場合のように行間で極性が切り替わる必要がなく、したがって、より低電力の要件を可能にする。
【００８４】
[0104]図１４の回路では、Ｖｃｏｌｕｍｎ１４１０ａ〜１４１０ｅは、ディスプレイモジュール４１０の列間でまたはそれらの間で垂直方向にルーティングされる。Ｖｂｉａｓ１４２０ａ〜１４２０ｅおよびＶｒｏｗ１４３０ａ〜１４３０ｄは、ディスプレイモジュール４１０の行間でまたはそれらの間で水平方向にルーティングされる。
【００８５】
[0105]Ｖｒｏｗ１４３０ａ〜１４３０ｄは、特定の行中の各ディスプレイモジュール４１０に結合される。たとえば、Ｖｒｏｗ１４３０ａは第１の行中の各ディスプレイモジュール４１０に結合される。Ｖｒｏｗ１４３０ｂは、第２の行中の各ディスプレイモジュール４１０に結合される。Ｖｒｏｗ１４３０ｃは、第３の行中の各ディスプレイモジュール４１０に結合される。Ｖｒｏｗ１４３０ｄは、第４の行中の各ディスプレイモジュールに結合される。
【００８６】
[0106]図１４では、Ｖｃｏｌｕｍｎ１４１０ａ〜１４１０ｅは、２つの異なる列からのディスプレイモジュール４１０間を交互に結合する。たとえば、Ｖｃｏｌｕｍｎ１４１０ａは第１の列中の第１および第３のディスプレイモジュール４１０に結合される。Ｖｃｏｌｕｍｎ１４１０ｂは、第２の列中の第１および第３のディスプレイモジュール、ならびに第１の列中の第２および第４のディスプレイモジュールに結合される。同様に、Ｖｃｏｌｕｍｎ１４１０ｃ〜１４１０ｅも、異なる列中のディスプレイモジュール間で交番するかまたはジグザグに進む。
【００８７】
[0107]Ｖｂｉａｓ１４２０ａ〜１４２０ｅは、２つの異なる列からのディスプレイモジュール４１０間を交互に結合する。たとえば、Ｖｂｉａｓ１４２０ａは第１の列中の第２および第４のディスプレイモジュール４１０に結合される。Ｖｂｉａｓ１４２０ｂは、第１の行中の第１および第３のディスプレイモジュール４１０、ならびに第２の行中の第２および第４のディスプレイモジュール４１０に結合される。Ｖｂｉａｓ１４２０ｃは、第２の行中の第１および第３のディスプレイモジュール４１０、ならびに第３の行中の第２および第４のディスプレイモジュール４１０に結合される。同様に、Ｖｂｉａｓ１４２０ｄおよびＶｂｉａｓ１４２０ｅも、異なる行中のディスプレイモジュール間で交番するかまたはジグザグに進む。
【００８８】
[0108]いくつかの実装形態では、図１４の概略図の物理的設計またはレイアウトは、ディスプレイモジュール４１０の列間でまたはそれらの間で垂直配向にルーティングされたＶｃｏｌｕｍｎ１４１０ａ〜１４１０ｅを含み得る。すなわち、Ｖｃｏｌｕｍｎ１４１０ａ〜１４１０ｅは、水平長さを超える垂直長さにおいてルーティングされ得る。Ｖｂｉａｓ１４２０ａ〜１４２０ｅおよびＶｒｏｗ１４３０ａ〜１４３０ｄは、ディスプレイユニットの行間でまたはそれらの間で水平配向にルーティングされ得る。すなわち、Ｖｂｉａｓ１４２０ａ〜１４２０ｅおよびＶｒｏｗ１４３０ａ〜１４３０ｄは、垂直長さを超える水平長さにおいてルーティングされ得る。たとえば、Ｖｃｏｌｕｍｎ１４１０ａ〜１４１０ｅは列ドライバ回路２６によって与えられ得、Ｖｂｉａｓ１４２０ａ〜１４２０ｅおよびＶｒｏｗ１４３０ａ〜１４３０ｄは行ドライバ回路２４によって与えられ得る。
【００８９】
[0109]さらに、Ｖｃｏｍ電極５６５に関連するルーティングが図１４に示されていないが、ディスプレイアレイ中の各ディスプレイユニット４５０のためのＶｃｏｍ電極５６５は固定電圧（たとえば、０Ｖ）に駆動され得る。いくつかの実装形態では、各ディスプレイモジュール４１０のためのＶｃｏｍ電極５６５は、同じ相互接続に結合され得る。しかしながら、他の実装形態では、Ｖｃｏｍ電極５６５に電圧バイアスを与える相互接続は、Ｖｂｉａｓ１４２０ａ〜１４２０ｅのそれと同様にルーティングされ得る。すなわち、Ｖｃｏｍ電極５６５に関連する相互接続も、Ｖｂｉａｓ１４２０ａ〜１４２０ｂのようにディスプレイユニットに交互に結合し得る。
【００９０】
[0110]図１５は、図１４の回路のディスプレイモジュールの２×２配置の一例の回路図である。特に、図１５は、ディスプレイモジュール４１０の極性および関連する相互接続を描く。図１５中の２×２配置は、図１４中の回路モジュールのサブセットである。
【００９１】
[0111]図１５中の２×２配置の場合、Ｖｃｏｌｕｍｎ１４１０ａおよびＶｃｏｌｕｍｎ１４１０ｃは、それぞれ、第１の行中の第１のディスプレイモジュール４１０および第２の行中の第２のディスプレイモジュール４１０に結合される。Ｖｂｉａｓ１４２０ｂは、同じディスプレイモジュール４１０に結合される。Ｖｃｏｌｕｍｎ１４１０ａ、Ｖｃｏｌｕｍｎ１４１０ｃ、およびＶｂｉａｓ１４２０ｂに印加された電圧は、第１のフレームにおいて第１の極性（たとえば、正極性）を与えるためにバイアスされ得る。
【００９２】
[0112]Ｖｃｏｌｕｍｎ１４１０ｂは、第１の行中の第２のディスプレイモジュール４１０と第２の行中の第１のディスプレイモジュール４１０とに結合される。Ｖｂｉａｓ１４２０ａは、第１の行中の第２のディスプレイモジュール４１０結合される。Ｖｂｉａｓ１４２０ｃは、第２の行中の第１のディスプレイモジュール４１０に結合される。Ｖｃｏｌｕｍｎ１４１０ｂ、Ｖｂｉａｓ１４２０ａ、およびＶｂｉａｓ１４２０ｃに印加された電圧は、第１のフレームにおいて第２の極性（たとえば、負極性）を与えるためにバイアスされ得る。後続のフレームにおいて、極性は切り替えられ得る。
【００９３】
[0113]さらに、３端子ＩＭＯＤの電極における抵抗器キャパシタ（ＲＣ）遅延が問題になり得る。図１６Ａおよび図１６Ｂは、ＩＭＯＤの電極のＲＣ遅延の例の図である。
【００９４】
[0114]図８、図１０、図１２、および図１４の前の回路において、ディスプレイモジュール４１０の各行は行選択ライン（すなわち、Ｖｒｏｗ）を含む。行選択ラインは、それぞれの行中の各ディスプレイモジュール４１０に結合される。したがって、同じ行中のディスプレイモジュール４１０のＩＭＯＤは、同時に帯電される（すなわち、Ｖｄ電極５６０はバイアスされる）。３端子ＩＭＯＤが帯電されるとき、上部電極（すなわち、Ｖｂｉａｓ電極５５５）および下部電極（すなわち、Ｖｃｏｍ電極５６５）は、ＩＭＯＤのミラーに関連する中間電極（すなわち、Ｖｄ電極５６０）と容量結合される。しかしながら、上部および下部電極のＲＣ遅延は、同時に帯電する行中の各ＩＭＯＤからの容量結合により高いことがある。行選択ラインがアサート解除されたとき、上部および／または下部電極が、予想されるよりも高い電圧を保持するようにＲＣ遅延が十分に高い場合、不正確な電圧がミラーに印加され得る。
【００９５】
[0115]図１６Ａは、ＩＭＯＤの電極についての低いＲＣ遅延を描く。図１６Ａでは、時間１６１０において、電極に関連する電圧は完全に放電され得る。
【００９６】
[0116]図１６Ｂは、電極についての高いＲＣ遅延を描く。図１６Ｂでは、電極に関連する電圧は放電するのにより長い時間がかかり得、したがって、予期しない電圧値が、時間１６１０において電極上にあり得る。時間１６１０において、行選択電圧（たとえば、図５中のＶｒｏｗ５３０）が、Ｖｃｏｌｕｍｎ５２０からＶｄ電極５６０を切断するためにアサート解除された場合、Ｖｄ電極５６０上の電荷は、予想される値から外れ得、したがって、ミラーは、予期しない電圧により不正確な位置に移動し得る。
【００９７】
[0117]図１７は、ＩＭＯＤベースのディスプレイのための行選択相互接続の一例の回路図である。図１７では、ディスプレイモジュール４１０のアレイ１７００は、電極についてのＲＣ遅延を低減する行選択相互接続Ｖｒｏｗ１７３０ａ〜１７３０ｄの配置を含む。
【００９８】
[0118]Ｖｒｏｗ１７３０ａ〜１７３０ｄは、（たとえば、図８、図１０、図１２、および図１４の構成の場合のように）同じ行上のあらゆるディスプレイモジュール４１０に結合するのではなく、２つの異なる行の間でディスプレイモジュール４１０間を交互に結合するかまたは「ジグザグに進む」。たとえば、Ｖｒｏｗ１７３０ａは、第１の行中の第１および第３のディスプレイモジュール４１０、ならびに第２の行中の第２および第４のディスプレイモジュール４１０と結合される。Ｖｒｏｗ１７３０ｂは、第２の行中の第１および第３のディスプレイモジュール４１０、ならびに第３の行中の第２および第４のディスプレイモジュール４１０に結合される。Ｖｒｏｗ１７３０ｃは、第３の行中の第１および第３のディスプレイモジュール、ならびに第４の行中の第２および第４のディスプレイモジュールに結合される。Ｖｒｏｗ１７３０ｄは、第４の行中の第１および第３のディスプレイモジュール４１０と結合される。
【００９９】
[0119]したがって、Ｖｒｏｗ１７３０ａ〜１７３０ｂのうちの１つがアサートされたとき、同じ行上のディスプレイモジュール４１０のトランジスタＭ１  ５１０の半数がオンにされ、したがって、行上のＶｄ電極５６０の半数のみが帯電される。たとえば、Ｖｒｏｗ１７３０ａがアサートされた場合、第１の行中の第１および第３のディスプレイモジュール４１０のトランジスタＭ１  ５１０がオンにされる。さらに、第２の行中の第２および第４のディスプレイモジュール４１０のトランジスタＭ１  ５１０がオンにされる。
【０１００】
[0120]図１８は、ＩＭＯＤベースのディスプレイのための行選択相互接続の一例の回路図である。図１８の回路図は、ディスプレイモジュール４１０の２×２配置を含む。前に説明したように、各ディスプレイモジュール４１０は、トランジスタＭ１  ５１０とディスプレイユニット４５０（たとえば、３端子ＩＭＯＤ）とを含み得る。図１８中の回路は、ディスプレイユニット４１０の上部および下部電極（すなわち、Ｖｂｉａｓ１８２０ａまたは１８２０ｂに関連するＶｂｉａｓ電極５５５、およびＶｃｏｍｍｏｎ１８４０ａまたは１８４０ｂに関連するＶｃｏｍ電極５６５）上で高いＲＣ遅延を呈する。
【０１０１】
[0121]図１８において、Ｖｂｉａｓ１８２０ａおよびＶｃｏｍｍｏｎ１８４０ａは、同じ行中のディスプレイユニット４５０の電極に結合される。たとえば、Ｖｂｉａｓ１８２０ａは、第１の行中の第１および第２のディスプレイユニット４５０の上部電極（すなわち、Ｖｂｉａｓ電極５５５）に結合される。Ｖｃｏｍｍｏｎ１８４０ａは、第１の行中の第１および第２のディスプレイユニット４５０の下部電極（すなわち、Ｖｃｏｍ電極５６５）に結合される。
【０１０２】
[0122]Ｖｒｏｗ１８３０ａ上の電圧がアサートされて、トランジスタ５１０がオンにされたとき、Ｖｃｏｌｕｍｎ１８１０ａおよびＶｃｏｌｕｍｎ１８１０ｂ上の電圧は、それぞれ、第１の行中の第１および第２のディスプレイユニット４５０中の中間電極に印加され得る。しかしながら、第１の行中のディスプレイモジュール４５０の上部および下部電極は、高い容量性負荷を受け、したがって、図１６Ａに関連する高いＲＣ遅延を有し得る。特に、Ｖｂｉａｓ１８２０ａおよびＶｃｏｍｍｏｎ１８４０ａが第１の行中の両方のディスプレイモジュール４５０の電極に与えられ、Ｖｒｏｗ１８３０ａが、第１の行中のディスプレイユニット４５０の中間電極にＶｃｏｌｕｍｎ１８１０ａおよびＶｃｏｌｕｍｎ１８１０ｂを印加するために両方のトランジスタＭ１  ５５０をオンにするので、高い容量性負荷を電極が受け、したがって、ＲＣ遅延は高い。
【０１０３】
[0123]図１９は、ＩＭＯＤベースのディスプレイのための行選択相互接続の一例の回路図である。図１９の回路図は、図１８の回路よりも低い容量性負荷を電極上で受け得る。したがって、図１９の回路図は、図１６ＢのＲＣ遅延に関連し得る。
【０１０４】
[0124]図１９では、Ｖｒｏｗ１９３０ａ〜１９３０ｃは、図１７の概略図の場合のようにルーティングされる。すなわち、各Ｖｒｏｗ１９３０ａ〜１９３０ｃは、異なる行中の異なるディスプレイモジュール４１０のトランジスタＭ１  ５５０間を交互に結合する。
【０１０５】
[0125]一例として、第１の行中の第１のディスプレイモジュール４１０および第２の行中の第２のディスプレイモジュール４１０のトランジスタＭ１  ５５０をオンにするために、Ｖｒｏｗ１９３０ｂがアサートされ得る。したがって、Ｖｃｏｌｕｍｎ１９１０ａは、第１の行中の第１のディスプレイモジュール４１０の中間電極に印加され得る。Ｖｃｏｌｕｍｎ１９１０ｂは、第２の行中の第２のディスプレイモジュール４１０の中間電極に印加され得る。Ｖｒｏｗ１９３０ａ〜１９３０ｃが１つずつオンにされるので、他のトランジスタＭ１  ５５０はオフにされる。
【０１０６】
[0126]したがって、同じＶｂｉａｓまたはＶｃｏｍｍｏｎ相互接続を共有する電極の半分のみが帯電中間電極に関連するので、第１の行中の第１のディスプレイモジュール４１０および第２の行中の第２のディスプレイモジュール４１０の上部および下部電極が受ける負荷キャパシタンスはより低くなる。
【０１０７】
[0127]図２０は、ドット反転構成において極性を与えるための方法を示す流れ図である。方法２０００では、ブロック２０１０において、電圧は、第１の極性を与えるために、たとえば、ディスプレイユニット（たとえば、３端子ＩＭＯＤデバイス）の第１のグループの電極に与えられ得る。特に、ディスプレイユニットは、行および列の間の様々な相互接続と交互に結合し得る。たとえば、１つの相互接続は、第２の列および第１の行中の第１のディスプレイユニットに接続し、第２の行および第１の列中の第２のディスプレイユニットと結合し得る。ブロック２０２０において、ディスプレイユニットの第２のグループは、第２の極性を有する電圧を与えられ得る。たとえば、第１の極性は、ある方向におけるディスプレイユニットの電界に関連し得る。前に説明したように、第２の極性は、第１の極性に関連するディスプレイユニットとは異なる方向におけるディスプレイユニットにおける電界に関連し得る。さらに、ディスプレイユニットはまた、様々な相互接続と交互に結合され得る。ブロック２０３０において、第１のグループは、第１の極性から第２の極性に極性が切り替わるように構成され得る。ブロック２０４０において、第２のグループは、第２の極性から第１の極性に極性が切り替わるように構成され得る。本方法はブロック２０５０において終了する。
【０１０８】
[0128]図２１Ａおよび図２１Ｂは、複数のＩＭＯＤディスプレイ要素を含むディスプレイデバイス４０を示すシステムブロック図である。ディスプレイデバイス４０は、たとえば、スマートフォン、セルラーまたは携帯電話であり得る。しかしながら、ディスプレイデバイス４０の同じ構成要素またはそれの軽微な変形形態は、テレビジョン、コンピュータ、タブレット、電子リーダー、ハンドヘルドデバイスおよびポータブルメディアデバイスなど、様々なタイプのディスプレイデバイスをも示す。
【０１０９】
[0129]ディスプレイデバイス４０は、ハウジング４１と、ディスプレイ３０と、アンテナ４３と、スピーカー４５と、入力デバイス４８と、マイクロフォン４６とを含む。ハウジング４１は、射出成形および真空成形を含む、様々な製造プロセスのうちのいずれかから形成され得る。さらに、ハウジング４１は、限定はしないが、プラスチック、金属、ガラス、ゴムおよびセラミック、またはそれらの組合せを含む、様々な材料のうちのいずれかから製作され得る。ハウジング４１は、異なる色の、または異なるロゴ、ピクチャ、またはシンボルを含んでいる、他の取外し可能な部分と交換され得る、取外し可能な部分（図示せず）を含むことができる。
【０１１０】
[0130]ディスプレイ３０は、本明細書で説明する、双安定またはアナログディスプレイを含む、様々なディスプレイのうちのいずれかであり得る。ディスプレイ３０はまた、プラズマ、ＥＬ、ＯＬＥＤ、ＳＴＮ  ＬＣＤ、またはＴＦＴ  ＬＣＤなど、フラットパネルディスプレイ、あるいはＣＲＴまたは他の管デバイスなど、非フラットパネルディスプレイを含むように構成され得る。さらに、ディスプレイ３０は、本明細書で説明するＩＭＯＤベースのディスプレイを含むことができる。
【０１１１】
[0131]ディスプレイデバイス４０の構成要素が図［＃ＬＡ］に概略的に示されている。ディスプレイデバイス４０は、ハウジング４１を含み、それの中に少なくとも部分的に密閉された追加の構成要素を含むことができる。たとえば、ディスプレイデバイス４０は、トランシーバ４７に結合され得るアンテナ４３を含むネットワークインターフェース２７を含む。ネットワークインターフェース２７は、ディスプレイデバイス４０上に表示され得る画像データのためのソースであり得る。したがって、ネットワークインターフェース２７は画像ソースモジュールの一例であるが、プロセッサ２１および入力デバイス４８も画像ソースモジュールとして働き得る。トランシーバ４７はプロセッサ２１に接続され、プロセッサ２１は調整ハードウェア５２に接続される。調整ハードウェア５２は、（信号をフィルタ処理するかまたはさもなければ操作するなど）信号を調整するように構成され得る。調整ハードウェア５２はスピーカー４５とマイクロフォン４６とに接続され得る。プロセッサ２１はまた、入力デバイス４８とドライバコントローラ２９とに接続され得る。ドライバコントローラ２９はフレームバッファ２８とアレイドライバ２２とに結合され得、アレイドライバ２２はディスプレイアレイ３０に結合され得る。図２１Ａに特に示されていない要素を含む、ディスプレイデバイス４０中の１つまたは複数の要素が、メモリデバイスとして機能するように構成され、プロセッサ２１と通信するように構成され得る。いくつかの実装形態では、電源５０が、特定のディスプレイデバイス４０設計において実質的にすべての構成要素に電力を与えることができる。
【０１１２】
[0132]ネットワークインターフェース２７は、ディスプレイデバイス４０がネットワークを介して１つまたは複数のデバイスと通信することができるように、アンテナ４３とトランシーバ４７とを含む。ネットワークインターフェース２７はまた、たとえば、プロセッサ２１のデータ処理要件を軽減するための、何らかの処理能力を有し得る。アンテナ４３は信号を送信および受信することができる。いくつかの実装形態では、アンテナ４３は、ＩＥＥＥ１６．１１（ａ）、（ｂ）、または（ｇ）を含むＩＥＥＥ１６．１１規格、あるいはＩＥＥＥ８０２．１１ａ、ｂ、ｇ、ｎを含むＩＥＥＥ８０２．１１規格、およびそれらのさらなる実装形態に従って、ＲＦ信号を送信および受信する。いくつかの他の実装形態では、アンテナ４３は、Ｂｌｕｅｔｏｏｔｈ規格に従ってＲＦ信号を送信および受信する。セルラー電話の場合、アンテナ４３は、３Ｇ、４Ｇまたは５Ｇ技術を利用するシステムなどのワイヤレスネットワーク内で通信するために使用される、符号分割多元接続（ＣＤＭＡ）、周波数分割多元接続（ＦＤＭＡ）、時分割多元接続（ＴＤＭＡ）、モバイル通信用グローバルシステム（ＧＳＭ（登録商標）：Global System for Mobile communications）、ＧＳＭ／汎用パケット無線サービス（ＧＰＲＳ：General Packet Radio Service）、拡張データＧＳＭ環境（ＥＤＧＥ：Enhanced Data GSM（登録商標） Environment）、地上基盤無線（ＴＥＴＲＡ：Terrestrial Trunked Radio）、広帯域ＣＤＭＡ（Ｗ−ＣＤＭＡ（登録商標））、エボリューションデータオプティマイズド（ＥＶ−ＤＯ：Evolution Data Optimized）、１ｘＥＶ−ＤＯ、ＥＶ−ＤＯ  ＲｅｖＡ、ＥＶ−ＤＯ  ＲｅｖＢ、高速パケットアクセス（ＨＳＰＡ：High Speed Packet Access）、高速ダウンリンクパケットアクセス（ＨＳＤＰＡ：High Speed Downlink Packet Access）、高速アップリンクパケットアクセス（ＨＳＵＰＡ：High Speed Uplink Packet Access）、発展型高速パケットアクセス（ＨＳＰＡ＋：Evolved High Speed Packet Access）、ロングタームエボリューション（ＬＴＥ（登録商標）：Long Term Evolution）、ＡＭＰＳ、または他の知られている信号を受信するように設計され得る。トランシーバ４７は、アンテナ４３から受信された信号がプロセッサ２１によって受信され、プロセッサ２１によってさらに操作され得るように、それらの信号を前処理することができる。トランシーバ４７はまた、プロセッサ２１から受信された信号がアンテナ４３を介してディスプレイデバイス４０から送信され得るように、それらの信号を処理することができる。
【０１１３】
[0133]いくつかの実装形態では、トランシーバ４７は受信機によって置き換えられ得る。さらに、いくつかの実装形態では、ネットワークインターフェース２７は、プロセッサ２１に送られるべき画像データを記憶または生成することができる画像ソースによって置き換えられ得る。プロセッサ２１は、ディスプレイデバイス４０の全体的な動作を制御することができる。プロセッサ２１は、ネットワークインターフェース２７または画像ソースから圧縮された画像データなどのデータを受信し、そのデータを生画像データに、または生画像データに容易に処理され得るフォーマットに、処理する。プロセッサ２１は、処理されたデータをドライバコントローラ２９に、または記憶のためにフレームバッファ２８に送ることができる。生データは、一般に、画像内の各ロケーションにおける画像特性を識別する情報を指す。たとえば、そのような画像特性は、色、飽和およびグレースケールレベルを含むことができる。
【０１１４】
[0134]プロセッサ２１は、ディスプレイデバイス４０の動作を制御するためのマイクロコントローラ、ＣＰＵ、または論理ユニットを含むことができる。調整ハードウェア５２は、スピーカー４５に信号を送信するための、およびマイクロフォン４６から信号を受信するための、増幅器およびフィルタを含み得る。調整ハードウェア５２は、ディスプレイデバイス４０内の個別構成要素であり得、あるいはプロセッサ２１または他の構成要素内に組み込まれ得る。
【０１１５】
[0135]ドライバコントローラ２９は、プロセッサ２１によって生成された生画像データをプロセッサ２１から直接、またはフレームバッファ２８から取ることができ、アレイドライバ２２への高速送信のために適宜に生画像データを再フォーマットすることができる。いくつかの実装形態では、ドライバコントローラ２９は、生画像データを、ラスタ様フォーマットを有するデータフローに再フォーマットすることができ、その結果、そのデータフローは、ディスプレイアレイ３０にわたって走査するのに好適な時間順序を有する。次いで、ドライバコントローラ２９は、フォーマットされた情報をアレイドライバ２２に送る。ＬＣＤコントローラなどのドライバコントローラ２９は、しばしば、スタンドアロン集積回路（ＩＣ）としてシステムプロセッサ２１に関連付けられるが、そのようなコントローラは多くの方法で実装され得る。たとえば、コントローラは、ハードウェアとしてプロセッサ２１中に埋め込まれるか、ソフトウェアとしてプロセッサ２１中に埋め込まれるか、またはハードウェアにおいてアレイドライバ２２と完全に一体化され得る。
【０１１６】
[0136]アレイドライバ２２は、ドライバコントローラ２９からフォーマットされた情報を受信することができ、ビデオデータを波形の並列セットに再フォーマットすることができ、波形の並列セットは、ディスプレイのディスプレイ要素のｘ−ｙ行列から来る、数百の、および時には数千の（またはより多くの）リード線に毎秒何回も印加される。
【０１１７】
[0137]いくつかの実装形態では、ドライバコントローラ２９、アレイドライバ２２、およびディスプレイアレイ３０は、本明細書で説明するディスプレイのタイプのうちのいずれにも適している。たとえば、ドライバコントローラ２９は従来のディスプレイコントローラまたは双安定ディスプレイコントローラ（ＩＭＯＤディスプレイ要素コントローラなど）であり得る。さらに、アレイドライバ２２は従来のドライバまたは双安定ディスプレイドライバ（ＩＭＯＤディスプレイ要素ドライバなど）であり得る。その上、ディスプレイアレイ３０は従来のディスプレイアレイまたは双安定ディスプレイアレイ（ＩＭＯＤディスプレイ要素のアレイを含むディスプレイなど）であり得る。いくつかの実装形態では、ドライバコントローラ２９は、アレイドライバ２２と一体化され得る。そのような実装形態は、高集積システム、たとえば、モバイルフォン、ポータブル電子デバイス、ウォッチまたは小面積ディスプレイにおいて、有用であり得る。
【０１１８】
[0138]いくつかの実装形態では、入力デバイス４８は、たとえば、ユーザがディスプレイデバイス４０の動作を制御することを可能にするように、構成され得る。入力デバイス４８は、ＱＷＥＲＴＹキーボードまたは電話キーパッドなどのキーパッド、ボタン、スイッチ、ロッカー、タッチセンシティブスクリーン、ディスプレイアレイ３０と一体化されたタッチセンシティブスクリーン、あるいは感圧膜または感熱膜を含むことができる。マイクロフォン４６は、ディスプレイデバイス４０のための入力デバイスとして構成され得る。いくつかの実装形態では、ディスプレイデバイス４０の動作を制御するために、マイクロフォン４６を介したボイスコマンドが使用され得る。
【０１１９】
[0139]電源５０は様々なエネルギー蓄積デバイスを含むことができる。たとえば、電源５０は、ニッケルカドミウムバッテリーまたはリチウムイオンバッテリーなどの充電式バッテリーであり得る。充電式バッテリーを使用する実装形態では、充電式バッテリーは、たとえば、壁コンセント（wall socket）あるいは光起電性デバイスまたはアレイから来る電力を使用して充電可能であり得る。代替的に、充電式バッテリーはワイヤレス充電可能であり得る。電源５０はまた、再生可能エネルギー源、キャパシタ、あるいはプラスチック太陽電池または太陽電池塗料を含む太陽電池であり得る。電源５０はまた、壁コンセントから電力を受け取るように構成され得る。
【０１２０】
[0140]いくつかの実装形態では、電子ディスプレイシステム中のいくつかの場所に配置され得るドライバコントローラ２９中に制御プログラマビリティが存在する。いくつかの他の実装形態では、制御プログラマビリティがアレイドライバ２２中に存在する。上記で説明した最適化は、任意の数のハードウェアおよび／またはソフトウェア構成要素において、ならびに様々な構成において実装され得る。
【０１２１】
[0141]本明細書で使用する、項目のリスト「のうちの少なくとも１つ」を指す句は、単一部材を含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【０１２２】
[0142]本明細書で開示する実装形態に関して説明した様々な例示的な論理、論理ブロック、モジュール、回路、およびアルゴリズムステップは、電子ハードウェア、コンピュータソフトウェア、またはその両方の組合せとして実装され得る。ハードウェアとソフトウェアの互換性が、概して機能に関して説明され、上記で説明した様々な例示的な構成要素、ブロック、モジュール、回路およびステップにおいて示された。そのような機能がハードウェアで実装されるか、ソフトウェアで実装されるかは、特定の適用例および全体的なシステムに課された設計制約に依存する。
【０１２３】
[0143]本明細書で開示する態様に関して説明した様々な例示的な論理、論理ブロック、モジュール、および回路を実装するために使用される、ハードウェアおよびデータ処理装置は、汎用シングルチップまたはマルチチッププロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサは、マイクロプロセッサ、あるいは任意の従来のプロセッサ、コントローラ、マイクロコントローラ、または状態機械であり得る。プロセッサはまた、ＤＳＰとマイクロプロセッサとの組合せなどのコンピューティングデバイスの組合せ、複数のマイクロプロセッサ、ＤＳＰコアと連携する１つまたは複数のマイクロプロセッサ、あるいは任意の他のそのような構成として実装され得る。いくつかの実装形態では、特定のステップおよび方法が、所与の機能に固有である回路によって実行され得る。
【０１２４】
[0144]１つまたは複数の態様では、説明した機能は、本明細書で開示する構造を含むハードウェア、デジタル電子回路、コンピュータソフトウェア、ファームウェア、およびそれらの上記構造の構造的等価物において、またはそれらの任意の組合せにおいて実装され得る。また、本明細書で説明した主題の実装形態は、１つまたは複数のコンピュータプログラムとして、すなわち、データ処理装置が実行するためにコンピュータ記憶媒体上に符号化された、またはデータ処理装置の動作を制御するための、コンピュータプログラム命令の１つまたは複数のモジュールとして、実装され得る。
【０１２５】
[0145]本開示で説明した実装形態への様々な修正は当業者には容易に明らかであり得、本明細書で定義した一般原理は、本開示の趣旨または範囲から逸脱することなく他の実装形態に適用され得る。したがって、特許請求の範囲は、本明細書で示した実装形態に限定されるものではなく、本開示と、本明細書で開示する原理および新規の特徴とに一致する、最も広い範囲を与られるべきである。さらに、「上側」および「下側」という用語は、図の説明を簡単にするために時々使用され、適切に配向されたページ上の図の配向に対応する相対位置を示すが、たとえば、実装されたＩＭＯＤディスプレイ要素の適切な配向を反映しないことがあることを、当業者は容易に諒解されよう。
【０１２６】
[0146]また、別個の実装形態に関して本明細書で説明されたいくつかの特徴は、単一の実装形態において組合せで実装され得る。また、逆に、単一の実装形態に関して説明された様々な特徴は、複数の実装形態において別個に、あるいは任意の好適な部分組合せで実装され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０１２７】
[0147]同様に、動作は特定の順序で図面に示されているが、そのような動作は、望ましい結果を達成するために、示される特定の順序でまたは順番に実行される必要がないこと、あるいはすべての図示の動作が実行される必要があるとは限らないことを、当業者は容易に認識されよう。さらに、図面は、流れ図の形態でもう１つの例示的なプロセスを概略的に示し得る。ただし、図示されていない他の動作が、概略的に示される例示的なプロセスに組み込まれ得る。たとえば、１つまたは複数の追加の動作が、図示の動作のうちのいずれかの前に、後に、同時に、またはそれの間で、実行され得る。いくつかの状況では、マルチタスキングおよび並列処理が有利であり得る。その上、上記で説明した実装形態における様々なシステム構成要素の分離は、すべての実装形態においてそのような分離を必要とするものとして理解されるべきでなく、説明したプログラム構成要素およびシステムは、概して、単一のソフトウェア製品において互いに一体化されるか、または複数のソフトウェア製品にパッケージングされ得ることを理解されたい。さらに、他の実装形態が以下の特許請求の範囲内に入る。場合によっては、特許請求の範囲に記載の行為は、異なる順序で実行され、依然として望ましい結果を達成することができる。
【図１】
2016535296.tif 000003
【図２】
2016535296.tif 000004
【図３Ａ】
2016535296.tif 000005
【図３Ｂ】
2016535296.tif 000006
【図４】
2016535296.tif 000007
【図５】
2016535296.tif 000008
【図６Ａ】
2016535296.tif 000009
【図６Ｂ】
2016535296.tif 000010
【図６Ｃ】
2016535296.tif 000011
【図６Ｄ】
2016535296.tif 000012
【図７Ａ】
2016535296.tif 000013
【図７Ｂ】
2016535296.tif 000014
【図８】
2016535296.tif 000015
【図９】
2016535296.tif 000016
【図１０】
2016535296.tif 000017
【図１１】
2016535296.tif 000018
【図１２】
2016535296.tif 000019
【図１３】
2016535296.tif 000020
【図１４】
2016535296.tif 000021
【図１５】
2016535296.tif 000022
【図１６Ａ】
2016535296.tif 000023
【図１６Ｂ】
2016535296.tif 000024
【図１７】
2016535296.tif 000025
【図１８】
2016535296.tif 000026
【図１９】
2016535296.tif 000027
【図２０】
2016535296.tif 000028
【図２１Ａ】
2016535296.tif 000029
【図２１Ｂ】
2016535296.tif 000030
【国際調査報告】
2016535296.tif 000031
2016535296.tif 000032